(57)【要約】【課題】小型で、ゴーストやフレアをより低減させ、諸収差を良好に補正し優れた光学性能を有する光学系、光学装置及び光学系の製造方法を提供する。【解決手段】物体側から順に、正の屈折力を有する第１レンズ群Ｇ１と、負の屈折力を有する第２レンズ群Ｇ２と、正の屈折力を有する第３レンズ群Ｇ３とを有し、第１群レンズＧ１、第２レンズ群Ｇ２及び第３レンズ群Ｇ３における光学面のうちの少なくとも１面に反射防止膜が設けられ、前記反射防止膜はウェットプロセスを用いて形成された層を少なくとも１層含み、第３レンズ群Ｇ３が、物体側から順に、第３ａレンズ群Ｇ３ａと、第３ｂレンズ群Ｇ３ｂとを有し、無限遠物体から近距離物体への合焦時に、第２レンズ群Ｇ２が光軸に沿って移動し、第３ｂレンズ群Ｇ３ｂがシフトレンズ群として光軸と直交する方向の成分を含むように移動し、所定の条件式を満足する。【選択図】図１
2015215558.tif 000002
【特許請求の範囲】
【請求項１】
物体側から順に、正の屈折力を有する第１レンズ群と、負の屈折力を有する第２レンズ群と、正の屈折力を有する第３レンズ群とを有し、
前記第１レンズ群、前記第２レンズ群及び前記第３レンズ群における光学面のうちの少なくとも１面に反射防止膜が設けられており、前記反射防止膜はウェットプロセスを用いて形成された層を少なくとも１層含んでおり、
前記第３レンズ群が、物体側から順に、第３ａレンズ群と、第３ｂレンズ群とを有し、
無限遠物体から近距離物体への合焦時に、前記第２レンズ群が光軸に沿って移動し、
前記第３ｂレンズ群がシフトレンズ群として光軸と直交する方向の成分を含むように移動し、
以下の条件式を満足することを特徴とする光学系。
１．７０＜｜ｆＲ／ｆＦ｜＜５．００
ただし、
ｆＲ：無限遠物体合焦時の前記第１レンズ群から前記第３ａレンズ群までの合成焦点距離
ｆＦ：無限遠物体合焦時の前記第３ｂレンズ群と前記第３ｂレンズ群よりも像側に位置する全てのレンズの合成焦点距離
【請求項２】
以下の条件式を満足することを特徴とする請求項１に記載の光学系。
−１．６０＜βｒ×（１−βｓ）＜−０．８５
ただし、
βｓ：前記シフトレンズ群の横倍率
βｒ：前記シフトレンズ群よりも像側に位置する全てのレンズの横倍率
【請求項３】
物体側から順に、正の屈折力を有する第１レンズ群と、負の屈折力を有する第２レンズ群と、正の屈折力を有する第３レンズ群とを有し、
前記第１レンズ群、前記第２レンズ群及び前記第３レンズ群における光学面のうちの少なくとも１面に反射防止膜が設けられており、前記反射防止膜はウェットプロセスを用いて形成された層を少なくとも１層含んでおり、
無限遠物体から近距離物体への合焦時に、前記第２レンズ群が光軸に沿って移動し、
前記第３レンズ群の一部がシフトレンズ群として光軸と直交する方向の成分を含むように移動し、
以下の条件式を満足することを特徴とする光学系。
−１．６０＜βｒ×（１−βｓ）＜−０．８５
ただし、
βｓ：前記シフトレンズ群の横倍率
βｒ：前記シフトレンズ群よりも像側に位置する全てのレンズの横倍率
【請求項４】
前記反射防止膜は多層膜であり、
前記ウェットプロセスを用いて形成された層は、前記多層膜を構成する層のうちの最も表面側の層であることを特徴とする請求項１から請求項３のいずれか一項に記載の光学系。
【請求項５】
前記ウェットプロセスを用いて形成された層のｄ線（波長λ＝５８７．６ｎｍ）に対する屈折率をｎｄとしたとき、ｎｄが１．３０以下であることを特徴とする請求項１から請求項４のいずれか一項に記載の光学系。
【請求項６】
前記反射防止膜が設けられた前記光学面は、像面側から見て凹形状のレンズ面であることを特徴とする請求項１から請求項５のいずれか一項に記載の光学系。
【請求項７】
前記像面側から見て凹形状のレンズ面は、前記第１レンズ群内のレンズの像面側レンズ面であることを特徴とする請求項６に記載の光学系。
【請求項８】
前記像面側から見て凹形状のレンズ面は、前記第２レンズ群内のレンズの像面側レンズ面であることを特徴とする請求項６に記載の光学系。
【請求項９】
前記像面側から見て凹形状のレンズ面は、前記第３レンズ群内のレンズの物体側レンズ面であることを特徴とする請求項６に記載の光学系。
【請求項１０】
前記像面側から見て凹形状のレンズ面は、前記第３レンズ群内のレンズの像面側レンズ面であることを特徴とする請求項６に記載の光学系。
【請求項１１】
前記像面側から見て凹形状のレンズ面は、前記第３レンズ群内の物体側から４番目のレンズの像面側レンズ面であることを特徴とする請求項６に記載の光学系。
【請求項１２】
前記反射防止膜が設けられた前記光学面は、物体側から見て凹形状のレンズ面であることを特徴とする請求項１から請求項５のいずれか一項に記載の光学系。
【請求項１３】
前記物体側から見て凹形状のレンズ面は、前記第１レンズ群内のレンズの物体側レンズ面であることを特徴とする請求項１２に記載の光学系。
【請求項１４】
前記物体側から見て凹形状のレンズ面は、前記第１レンズ群内のレンズの像面側レンズ面であることを特徴とする請求項１２に記載の光学系。
【請求項１５】
前記物体側から見て凹形状のレンズ面は、前記第２レンズ群内のレンズの物体側レンズ面であることを特徴とする請求項１２に記載の光学系。
【請求項１６】
前記第３レンズ群が、物体側から順に、第３ａレンズ群と、第３ｂレンズ群と、第３ｃレンズ群とから構成され、
前記第３ｂレンズ群が前記シフトレンズ群として光軸と直交する方向の成分を含むように移動することを特徴とする請求項１から請求項１５のいずれか一項に記載の光学系。
【請求項１７】
前記第３レンズ群が、物体側から順に、第３ａレンズ群と、第３ｂレンズ群と、第３ｃレンズ群とから構成され、
前記第３ａレンズ群が正レンズと負レンズとから構成されていることを特徴とする請求項１から請求項１６のいずれか一項に記載の光学系。
【請求項１８】
前記シフトレンズ群が、物体側から順に、正レンズと負レンズとの接合レンズと、負レンズとから構成されていることを特徴とする請求項１から請求項１７のいずれか一項に記載の光学系。
【請求項１９】
前記第３レンズ群が、物体側から順に、第３ａレンズ群と、第３ｂレンズ群と、第３ｃレンズ群とから構成され、
前記第３ａレンズ群の物体側又は像側に開口絞りを有することを特徴とする請求項１から請求項１８のいずれか一項に記載の光学系。
【請求項２０】
前記第３レンズ群が、物体側から順に、第３ａレンズ群と、第３ｂレンズ群と、第３ｃレンズ群とから構成され、
前記第３ｂレンズ群が前記シフトレンズ群として光軸と直交する方向の成分を含むように移動し、
以下の条件式を満足することを特徴とする請求項１から請求項１９のいずれか一項に記載の光学系。
−０．４５＜ｆ３ａ／ｆ３ｂｃ＜０．４０
ただし、
ｆ３ａ：前記第３ａレンズ群の焦点距離
ｆ３ｂｃ：無限遠物体合焦時の前記第３ｂレンズ群と前記第３ｃレンズ群の合成焦点距離
【請求項２１】
前記第１レンズ群が、物体側から順に、第１ａレンズ群と、第１ｂレンズ群とから構成され、
前記第１ａレンズ群と前記第１ｂレンズ群との空気間隔が、前記第１レンズ群中の空気間隔のうちで最大であり、
前記第１ａレンズ群が最も像側に負レンズを有することを特徴とする請求項１から請求項２０のいずれか一項に記載の光学系。
【請求項２２】
前記第１レンズ群が、物体側から順に、第１ａレンズ群と、第１ｂレンズ群とから構成され、
前記第１ａレンズ群と前記第１ｂレンズ群との空気間隔が、前記第１レンズ群中の空気間隔のうちで最大であり、
以下の条件式を満足することを特徴とする請求項１から請求項２１のいずれか一項に記載の光学系。
１．４０＜ｆ１ａ／ｆ１ｂ＜２．０５
ただし、
ｆ１ａ：前記第１ａレンズ群の焦点距離
ｆ１ｂ：前記第１ｂレンズ群の焦点距離
【請求項２３】
前記第１レンズ群が、物体側から順に、第１ａレンズ群と、第１ｂレンズ群とから構成され、
前記第１ａレンズ群と前記第１ｂレンズ群との空気間隔が、前記第１レンズ群中の空気間隔のうちで最大であり、
前記第１ａレンズ群が、物体側から順に、保護ガラスと、正レンズと、正レンズと、負レンズとから構成されていることを特徴とする請求項１から請求項２２のいずれか一項に記載の光学系。
【請求項２４】
前記第１レンズ群が、物体側から順に、第１ａレンズ群と、第１ｂレンズ群とから構成され、
前記第１ａレンズ群と前記第１ｂレンズ群との空気間隔が、前記第１レンズ群中の空気間隔のうちで最大であり、
前記第１ｂレンズ群が、物体側から順に、物体側に凸面を向けた負メニスカスレンズと正レンズとの接合レンズで構成されていることを特徴とする請求項１から請求項２３のいずれか一項に記載の光学系。
【請求項２５】
前記第１レンズ群が、物体側から順に、第１ａレンズ群と、第１ｂレンズ群とから構成され、
前記第１ａレンズ群と前記第１ｂレンズ群との空気間隔が、前記第１レンズ群中の空気間隔のうちで最大であり、
前記第１ａレンズ群が以下の条件式を満足する少なくとも１枚の正レンズを有することを特徴とする請求項１から請求項２４のいずれか一項に記載の光学系。
９０＜νｄｐ
ただし、
νｄｐ：前記第１ａレンズ群中の前記正レンズの硝材のｄ線に対するアッベ数
【請求項２６】
前記第２レンズ群が複数の負レンズを有し、
前記複数の負レンズのうちで最も像側に配置された負レンズが以下の条件式を満足することを特徴とする請求項１から請求項２５のいずれか一項に記載の光学系。
ｎｄｎ＜１．６５
ただし、
ｎｄｎ：前記第２レンズ群中の前記複数の負レンズのうちで最も像側に配置された前記負レンズの硝材のｄ線に対する屈折率
【請求項２７】
前記第２レンズ群が複数の負レンズを有し、
前記複数の負レンズのうちで最も物体側に配置された負レンズが以下の条件式を満足することを特徴とする請求項１から請求項２６のいずれか一項に記載の光学系。
４９．７＜νｄｎ
ただし、
νｄｎ：前記第２レンズ群中の前記複数の負レンズのうちで最も物体側に配置された前記負レンズの硝材のｄ線に対するアッベ数
【請求項２８】
以下の条件式を満足することを特徴とする請求項１から請求項２７のいずれか一項に記載の光学系。
−３．００＜ｆ１／ｆ２＜−２．００
ただし、
ｆ１：前記第１レンズ群の焦点距離
ｆ２：前記第２レンズ群の焦点距離
【請求項２９】
前記第２レンズ群が、物体側から順に、像側に凹面を向けた負レンズと、正レンズと負レンズとの接合レンズとから構成されていることを特徴とする請求項１から請求項２８のいずれか一項に記載の光学系。
【請求項３０】
以下の条件式を満足することを特徴とする請求項１から請求項２９のいずれか一項に記載の光学系。
０．１０＜ｆ／ｆ１２＜０．８５
ただし、
ｆ：前記光学系の焦点距離
ｆ１２：無限遠物体合焦時の前記第１レンズ群と前記第２レンズ群の合成焦点距離
【請求項３１】
請求項１から請求項３０のいずれか一項に記載の光学系を有することを特徴とする光学装置。
【請求項３２】
物体側から順に、正の屈折力を有する第１レンズ群と、負の屈折力を有する第２レンズ群と、正の屈折力を有する第３レンズ群とを有する光学系の製造方法であって、
前記第１レンズ群、前記第２レンズ群及び前記第３レンズ群における光学面のうちの少なくとも１面に反射防止膜を設け、前記反射防止膜はウェットプロセスを用いて形成された層を少なくとも１層含むようにし、
前記第３レンズ群が、物体側から順に、第３ａレンズ群と、第３ｂレンズ群とを有するようにし、
無限遠物体から近距離物体への合焦時に、前記第２レンズ群が光軸に沿って移動するようにし、
前記第３ｂレンズ群がシフトレンズ群として光軸と直交する方向の成分を含むように移動するようにし、
前記光学系が以下の条件式を満足するようにすることを特徴とする光学系の製造方法。１．７０＜｜ｆＲ／ｆＦ｜＜５．００
ただし、
ｆＲ：無限遠物体合焦時の前記第１レンズ群から前記第３ａレンズ群までの合成焦点距離
ｆＦ：無限遠物体合焦時の前記第３ｂレンズ群と前記第３ｂレンズ群よりも像側に位置する全てのレンズの合成焦点距離
【請求項３３】
物体側から順に、正の屈折力を有する第１レンズ群と、負の屈折力を有する第２レンズ群と、正の屈折力を有する第３レンズ群とを有する光学系の製造方法であって、
前記第１レンズ群、前記第２レンズ群及び前記第３レンズ群における光学面のうちの少なくとも１面に反射防止膜を設け、前記反射防止膜はウェットプロセスを用いて形成された層を少なくとも１層含むようにし、
無限遠物体から近距離物体への合焦時に、前記第２レンズ群が光軸に沿って移動するようにし、
前記第３レンズ群の一部がシフトレンズ群として光軸と直交する方向の成分を含むように移動するようにし、
前記光学系が以下の条件式を満足するようにすることを特徴とする光学系の製造方法。−１．６０＜βｒ×（１−βｓ）＜−０．８５
ただし、
βｓ：前記シフトレンズ群の横倍率
βｒ：前記シフトレンズ群よりも像側に位置する全てのレンズの横倍率
【発明の詳細な説明】
【技術分野】
【０００１】
本発明は、光学系、光学装置、光学系の製造方法に関する。
【背景技術】
【０００２】
従来、写真用カメラや電子スチルカメラ等には、画角が小さくＦナンバーが比較的小さい光学系として、物体側から順に、正の屈折力を有する第１レンズ群と、開口絞りと、負の屈折力を有する第２レンズ群と、正の屈折力を有する第３レンズ群とを有するインナーフォーカス式の光学系が多く用いられている（例えば、特許文献１を参照。）。また近年、このような光学系に対しては、収差性能だけではなく、光学性能を損なう要因の一つであるゴーストやフレアに関する要求も厳しさを増している。そのため、光学系のレンズ面に施される反射防止膜にもより高い性能が要求され、斯かる要求に応えるべく多層膜の設計技術や成膜技術も進歩を続けている（例えば、特許文献２を参照。）。
【先行技術文献】
【特許文献】
【０００３】
【特許文献１】特開２０１１−８１０６４号公報
【特許文献２】特開２０００−３５６７０４号公報
【発明の概要】
【発明が解決しようとする課題】
【０００４】
しかしながら、上述のような従来の光学系は、小型化と高性能化が十分に図られていないという問題があった。
また、上述のような従来の光学系は、高性能化が十分に図られていないという問題があった。また、手ぶれ等に起因する像ぶれを補正するために、所定のレンズを光軸と直交する方向の成分を含むように移動、即ちレンズシフトする構成とすれば、レンズシフト時に光学性能が劣化してしまうという問題があった。また、それと同時に従来の光学系におけるレンズ面では、ゴーストやフレアとなる反射光が発生しやすいという課題もあった。
【０００５】
そこで本発明は上記問題点に鑑みてなされたものであり、小型で、ゴーストやフレアをより低減させ、諸収差を良好に補正し優れた光学性能を有する光学系、光学装置及び光学系の製造方法を提供することを目的とする。
また、ゴーストやフレアをより低減させ、諸収差を良好に補正し、かつレンズシフト時の光学性能の劣化を抑えた光学系、光学装置及び光学系の製造方法を提供することを目的とする。
【課題を解決するための手段】
【０００６】
上記課題を解決するために本第１発明は、
物体側から順に、正の屈折力を有する第１レンズ群と、負の屈折力を有する第２レンズ群と、正の屈折力を有する第３レンズ群とを有し、
前記第１レンズ群、前記第２レンズ群及び前記第３レンズ群における光学面のうちの少なくとも１面に反射防止膜が設けられており、前記反射防止膜はウェットプロセスを用いて形成された層を少なくとも１層含んでおり、
前記第３レンズ群が、物体側から順に、第３ａレンズ群と、第３ｂレンズ群とを有し、
無限遠物体から近距離物体への合焦時に、前記第２レンズ群が光軸に沿って移動し、
前記第３ｂレンズ群がシフトレンズ群として光軸と直交する方向の成分を含むように移動し、
以下の条件式を満足することを特徴とする光学系を提供する。
１．７０＜｜ｆＲ／ｆＦ｜＜５．００
ただし、
ｆＲ：無限遠物体合焦時の前記第１レンズ群から前記第３ａレンズ群までの合成焦点距離ｆＦ：無限遠物体合焦時の前記第３ｂレンズ群と前記第３ｂレンズ群よりも像側に位置する全てのレンズの合成焦点距離
【０００７】
また、本第１発明は、
前記光学系を有することを特徴とする光学装置を提供する。
【０００８】
また、本第１発明は、
物体側から順に、正の屈折力を有する第１レンズ群と、負の屈折力を有する第２レンズ群と、正の屈折力を有する第３レンズ群とを有する光学系の製造方法であって、
前記第１レンズ群、前記第２レンズ群及び前記第３レンズ群における光学面のうちの少なくとも１面に反射防止膜を設け、前記反射防止膜はウェットプロセスを用いて形成された層を少なくとも１層含むようにし、
前記第３レンズ群が、物体側から順に、第３ａレンズ群と、第３ｂレンズ群とを有するようにし、
無限遠物体から近距離物体への合焦時に、前記第２レンズ群が光軸に沿って移動するようにし、
前記第３ｂレンズ群がシフトレンズ群として光軸と直交する方向の成分を含むように移動するようにし、
前記光学系が以下の条件式を満足するようにすることを特徴とする光学系の製造方法を提供する。
１．７０＜｜ｆＲ／ｆＦ｜＜５．００
ただし、
ｆＲ：無限遠物体合焦時の前記第１レンズ群から前記第３ａレンズ群までの合成焦点距離ｆＦ：無限遠物体合焦時の前記第３ｂレンズ群と前記第３ｂレンズ群よりも像側に位置する全てのレンズの合成焦点距離
【０００９】
また、本第２発明は、
物体側から順に、正の屈折力を有する第１レンズ群と、負の屈折力を有する第２レンズ群と、正の屈折力を有する第３レンズ群とを有し、
前記第１レンズ群、前記第２レンズ群及び前記第３レンズ群における光学面のうちの少なくとも１面に反射防止膜が設けられており、前記反射防止膜はウェットプロセスを用いて形成された層を少なくとも１層含んでおり、
無限遠物体から近距離物体への合焦時に、前記第２レンズ群が光軸に沿って移動し、
前記第３レンズ群の一部がシフトレンズ群として光軸と直交する方向の成分を含むように移動し、
以下の条件式を満足することを特徴とする光学系を提供する。
−１．６０＜βｒ×（１−βｓ）＜−０．８５
ただし、
βｓ：前記シフトレンズ群の横倍率
βｒ：前記シフトレンズ群よりも像側に位置する全てのレンズの横倍率
【００１０】
また、本第２発明は、
前記光学系を有することを特徴とする光学装置を提供する。
【００１１】
また、本第２発明は、
物体側から順に、正の屈折力を有する第１レンズ群と、負の屈折力を有する第２レンズ群と、正の屈折力を有する第３レンズ群とを有する光学系の製造方法であって、
前記第１レンズ群、前記第２レンズ群及び前記第３レンズ群における光学面のうちの少なくとも１面に反射防止膜を設け、前記反射防止膜はウェットプロセスを用いて形成された層を少なくとも１層含むようにし、
無限遠物体から近距離物体への合焦時に、前記第２レンズ群が光軸に沿って移動するようにし、
前記第３レンズ群の一部がシフトレンズ群として光軸と直交する方向の成分を含むように移動するようにし、前記光学系が以下の条件式を満足するようにすることを特徴とする光学系の製造方法を提供する。
−１．６０＜βｒ×（１−βｓ）＜−０．８５
ただし、
βｓ：前記シフトレンズ群の横倍率
βｒ：前記シフトレンズ群よりも像側に位置する全てのレンズの横倍率
【発明の効果】
【００１２】
本発明によれば、小型で、ゴーストやフレアをより低減させ、諸収差を良好に補正し優れた光学性能を有する光学系、光学装置及び光学系の製造方法を提供することができる。
また、ゴーストやフレアをより低減させ、諸収差を良好に補正し、かつレンズシフト時の光学性能の劣化を抑えた光学系、光学装置及び光学系の製造方法を提供することができる。
【図面の簡単な説明】
【００１３】
【図１】図１は、本願第１及び第２発明の第１実施例に係る光学系の無限遠物体合焦時のレンズ配置を示す断面図である。
【図２】図２（ａ）、及び図２（ｂ）はそれぞれ、本願第１及び第２発明の第１実施例に係る光学系の無限遠物体合焦時、及び近距離物体合焦時の諸収差図である。
【図３】図３は、本願第１及び第２発明の第１実施例に係る光学系の無限遠物体合焦時にレンズシフトした際のコマ収差図である。
【図４】図４は、本願第１及び第２発明の第２実施例に係る光学系の無限遠物体合焦時のレンズ配置を示す断面図である。
【図５】図５（ａ）、及び図５（ｂ）はそれぞれ、本願第１及び第２発明の第２実施例に係る光学系の無限遠物体合焦時、及び近距離物体合焦時の諸収差図である。
【図６】図６は、本願第１及び第２発明の第２実施例に係る光学系の無限遠物体合焦時にレンズシフトした際のコマ収差図である。
【図７】図７は、本願第１及び第２発明の第３実施例に係る光学系の無限遠物体合焦時のレンズ配置を示す断面図である。
【図８】図８（ａ）、及び図８（ｂ）はそれぞれ、本願第１及び第２発明の第３実施例に係る光学系の無限遠物体合焦時、及び近距離物体合焦時の諸収差図である。
【図９】図９は、本願第１及び第２発明の第３実施例に係る光学系の無限遠物体合焦時にレンズシフトした際のコマ収差図である。
【図１０】図１０は、本願第１及び第２発明の第４実施例に係る光学系の無限遠物体合焦時のレンズ配置を示す断面図である。
【図１１】図１１（ａ）、及び図１１（ｂ）はそれぞれ、本願第１及び第２発明の第４実施例に係る光学系の無限遠物体合焦時、及び近距離物体合焦時の諸収差図である。
【図１２】図１２は、本願第１及び第２発明の第４実施例に係る光学系の無限遠物体合焦時にレンズシフトした際のコマ収差図である。
【図１３】図１３は、本願第１及び第２発明の第５実施例に係る光学系の無限遠物体合焦時のレンズ配置を示す断面図である。
【図１４】図１４（ａ）、及び図１４（ｂ）はそれぞれ、本願第１及び第２発明の第５実施例に係る光学系の無限遠物体合焦時、及び近距離物体合焦時の諸収差図である。
【図１５】図１５は、本願第１及び第２発明の第５実施例に係る光学系の無限遠物体合焦時にレンズシフトした際のコマ収差図である。
【図１６】図１６は、本願第１及び第２発明の第６実施例に係る光学系の無限遠物体合焦時のレンズ配置を示す断面図である。
【図１７】図１７（ａ）、及び図１７（ｂ）はそれぞれ、本願第１及び第２発明の第６実施例に係る光学系の無限遠物体合焦時、及び近距離物体合焦時の諸収差図である。
【図１８】図１８は、本願第１及び第２発明の第６実施例に係る光学系の無限遠物体合焦時にレンズシフトした際のコマ収差図である。
【図１９】図１９は、本願第１及び第２発明の第７実施例に係る光学系の無限遠物体合焦時のレンズ配置を示す断面図である。
【図２０】図２０（ａ）、及び図２０（ｂ）はそれぞれ、本願第１及び第２発明の第７実施例に係る光学系の無限遠物体合焦時、及び近距離物体合焦時の諸収差図である。
【図２１】図２１は、本願第１及び第２発明の第７実施例に係る光学系の無限遠物体合焦時にレンズシフトした際のコマ収差図である。
【図２２】図２２は、本願第１及び第２発明の第８実施例に係る光学系の無限遠物体合焦時のレンズ配置を示す断面図である。
【図２３】図２３（ａ）、及び図２３（ｂ）はそれぞれ、本願第１及び第２発明の第８実施例に係る光学系の無限遠物体合焦時、及び近距離物体合焦時の諸収差図である。
【図２４】図２４は、本願第１及び第２発明の第８実施例に係る光学系の無限遠物体合焦時にレンズシフトした際のコマ収差図である。
【図２５】図２５は、本願第１及び第２発明の第９実施例に係る光学系の無限遠物体合焦時のレンズ配置を示す断面図である。
【図２６】図２６（ａ）、及び図２６（ｂ）はそれぞれ、本願第１及び第２発明の第９実施例に係る光学系の無限遠物体合焦時、及び近距離物体合焦時の諸収差図である。
【図２７】図２７は、本願第１及び第２発明の第９実施例に係る光学系の無限遠物体合焦時にレンズシフトした際のコマ収差図である。
【図２８】図２８は、本願第１又は第２発明の光学系を備えたカメラの構成を示す図である。
【図２９】図２９は、本願第１発明の光学系の製造方法の概略を示す図である。
【図３０】図３０は、本願第１及び第２発明の第１実施例に係る光学系に入射した光線が第１番目の反射面と第２番目の反射面で反射して像面にゴーストやフレアを形成する様子の一例を示す図である。
【図３１】図３１は、本願第１及び第２発明の反射防止膜の層構造の一例を示す説明図である。
【図３２】図３２は、本願第１及び第２発明の反射防止膜の分光特性を示すグラフである。
【図３３】図３３は、本願第１及び第２発明の変形例に係る反射防止膜の分光特性を示すグラフである。
【図３４】図３４は、本願第１及び第２発明の変形例に係る反射防止膜の分光特性の入射角度依存性を示すグラフである。
【図３５】図３５は、従来技術で作成した反射防止膜の分光特性を示すグラフである。
【図３６】図３６は、従来技術で作成した反射防止膜の分光特性の入射角度依存性を示すグラフである。
【図３７】図３７は、本願第２発明の光学系の製造方法の概略を示す図である。
【発明を実施するための形態】
【００１４】
以下、本願第１発明の光学系、光学装置及び光学系の製造方法について説明する。
本願第１発明の光学系は、物体側から順に、正の屈折力を有する第１レンズ群と、負の屈折力を有する第２レンズ群と、正の屈折力を有する第３レンズ群とを有し、前記第１レンズ群、前記第２レンズ群及び前記第３レンズ群における光学面のうちの少なくとも１面に反射防止膜が設けられており、前記反射防止膜はウェットプロセスを用いて形成された層を少なくとも１層含んでおり、前記第３レンズ群が、物体側から順に、第３ａレンズ群と、第３ｂレンズ群とを有し、無限遠物体から近距離物体への合焦時に、前記第２レンズ群が光軸に沿って移動し、前記第３ｂレンズ群がシフトレンズ群として光軸と直交する方向の成分を含むように移動し、以下の条件式（１−１）を満足することを特徴とする。
（１−１）  １．７０＜｜ｆＲ／ｆＦ｜＜５．００
ただし、
ｆＲ：無限遠物体合焦時の前記第１レンズ群から前記第３ａレンズ群までの合成焦点距離ｆＦ：無限遠物体合焦時の前記第３ｂレンズ群と前記第３ｂレンズ群よりも像側に位置する全てのレンズの合成焦点距離
【００１５】
上記のように本願第１発明の光学系は、物体側から順に、正の屈折力を有する第１レンズ群と、負の屈折力を有する第２レンズ群と、正の屈折力を有する第３レンズ群とを有し、前記第３レンズ群が、物体側から順に、第３ａレンズ群と、第３ｂレンズ群とを有し、無限遠物体から近距離物体への合焦時に、前記第２レンズ群が光軸に沿って移動する。この構成により、本願第１発明の光学系は小型軽量化と優れた結像性能を達成することができる。
【００１６】
また、上記のように本願第１発明の光学系は、前記第３ｂレンズ群がシフトレンズ群として光軸と直交する方向の成分を含むように移動、即ちレンズシフトする。この構成により、手ぶれ等に起因する像ぶれの補正、即ち防振を行うことができる。
【００１７】
条件式（１−１）は、第１レンズ群から第３ａレンズ群までの合成焦点距離と、第３ｂレンズ群と第３ｂレンズ群よりも像側に位置する全てのレンズの合成焦点距離との比の適切な範囲を規定するものである。なお、第３ｂレンズ群よりも像側にレンズが存在しない場合には、「ｆＦ：第３ｂレンズ群の焦点距離」として条件式（１−１）の対応値を計算するものとする。本願第１発明の光学系は、条件式（１−１）を満足することにより、小型化を図りながら、球面収差とコマ収差を良好に補正でき、優れた結像性能を得ることができる。
【００１８】
本願第１発明の光学系の条件式（１−１）の対応値が上限値を上回ると、第１レンズ群から第３ａレンズ群までの合成屈折力が相対的に小さくなる。これにより、第１レンズ群から第３ａレンズ群で発生する球面収差とコマ収差が補正不足になるため好ましくない。なお、本願の効果をより確実にするために、条件式（１−１）の上限値を４．７５とすることがより好ましい。また、本願の効果をより確実にするために、条件式（１−１）の上限値を４．２５とすることがより好ましい。
【００１９】
一方、本願第１発明の光学系の条件式（１−１）の対応値が下限値を下回ると、第１レンズ群から第３ａレンズ群までの合成屈折力が相対的に大きくなる。これにより、第１レンズ群から第３ａレンズ群でコマ収差が多大に発生してしまいため好ましくない。なお、本願の効果をより確実にするために、条件式（１−１）の下限値を１．７１とすることがより好ましい。
以上の構成により、小型で、諸収差を良好に補正し優れた光学性能を有する光学系を実現することができる。
【００２０】
また、本願第１発明の光学系は、前記第１レンズ群、前記第２レンズ群及び前記第３レンズ群における光学面のうちの少なくとも１面に反射防止膜が設けられており、前記反射防止膜はウェットプロセスを用いて形成された層を少なくとも１層含んでいることを特徴とする。この構成により、本願第１発明の光学系は、物体からの光が光学面で反射されることによって生じるゴーストやフレアをより低減させることができ、高い結像性能を達成することができる。
【００２１】
また、本願第１発明の光学系は、前記反射防止膜は多層膜であり、前記ウェットプロセスを用いて形成された層は、前記多層膜を構成する層のうちの最も表面側の層であることが望ましい。この構成により、前記ウェットプロセスを用いて形成された層と空気との屈折率差を小さくすることができるため、光の反射をより小さくすることが可能になり、ゴーストやフレアをさらに低減させることができる。
【００２２】
また、本願第１発明の光学系は、前記ウェットプロセスを用いて形成された層のｄ線（波長λ＝５８７．６ｎｍ）に対する屈折率をｎｄとしたとき、ｎｄが１．３０以下であることが望ましい。この構成により、前記ウェットプロセスを用いて形成された層と空気との屈折率差を小さくすることができるため、光の反射をより小さくすることが可能になり、ゴーストやフレアをさらに低減させることができる。
【００２３】
また、本願第１発明の光学系は、前記反射防止膜が設けられた前記光学面は、像面側から見て凹形状のレンズ面であることが望ましい。第１レンズ群、第２レンズ群及び第３レンズ群における光学面のうち、像面側から見て凹形状のレンズ面では反射光が発生しやすい。このため、斯かるレンズ面に反射防止膜を形成することで、ゴーストやフレアを効果的に低減させることができる。
【００２４】
また、本願第１発明の光学系は、前記像面側から見て凹形状のレンズ面は、前記第１レンズ群内のレンズの像面側レンズ面であることが望ましい。第１レンズ群における光学面のうち、像面側から見て凹形状のレンズ面では反射光が発生しやすい。このため、斯かるレンズ面に反射防止膜を形成することで、ゴーストやフレアを効果的に低減させることができる。
【００２５】
また、本願第１発明の光学系は、前記像面側から見て凹形状のレンズ面は、前記第２レンズ群内のレンズの像面側レンズ面であることが望ましい。第２レンズ群における光学面のうち、像面側から見て凹形状のレンズ面では反射光が発生しやすい。このため、斯かるレンズ面に反射防止膜を形成することで、ゴーストやフレアを効果的に低減させることができる。
【００２６】
また、本願第１発明の光学系は、前記像面側から見て凹形状のレンズ面は、前記第３レンズ群内のレンズの物体側レンズ面であることが望ましい。第３レンズ群における光学面のうち、像面側から見て凹形状のレンズ面では反射光が発生しやすい。このため、斯かるレンズ面に反射防止膜を形成することで、ゴーストやフレアを効果的に低減させることができる。
【００２７】
また、本願第１発明の光学系は、前記像面側から見て凹形状のレンズ面は、前記第３レンズ群内のレンズの像面側レンズ面であることが望ましい。第３レンズ群における光学面のうち、像面側から見て凹形状のレンズ面では反射光が発生しやすい。このため、斯かるレンズ面に反射防止膜を形成することで、ゴーストやフレアを効果的に低減させることができる。
【００２８】
また、本願第１発明の光学系は、前記像面側から見て凹形状のレンズ面は、前記第３レンズ群内の物体側から４番目のレンズの像面側レンズ面であることが望ましい。第３レンズ群における光学面のうち、像面側から見て凹形状のレンズ面では反射光が発生しやすい。このため、斯かるレンズ面に反射防止膜を形成することで、ゴーストやフレアを効果的に低減させることができる。
【００２９】
また、本願第１発明の光学系は、前記反射防止膜が設けられた前記光学面は、物体側から見て凹形状のレンズ面であることが望ましい。第１レンズ群及び第２レンズ群における光学面のうち、物体側から見て凹形状のレンズ面では反射光が発生しやすい。このため、斯かるレンズ面に反射防止膜を形成することで、ゴーストやフレアを効果的に低減させることができる。
【００３０】
また、本願第１発明の光学系は、前記物体側から見て凹形状のレンズ面は、前記第１レンズ群内のレンズの物体側レンズ面であることが望ましい。第１レンズ群における光学面のうち、物体側から見て凹形状のレンズ面では反射光が発生しやすい。このため、斯かるレンズ面に反射防止膜を形成することで、ゴーストやフレアを効果的に低減させることができる。
【００３１】
また、本願第１発明の光学系は、前記物体側から見て凹形状のレンズ面は、前記第１レンズ群内のレンズの像面側レンズ面であることが望ましい。第１レンズ群における光学面のうち、物体側から見て凹形状のレンズ面では反射光が発生しやすい。このため、斯かるレンズ面に反射防止膜を形成することで、ゴーストやフレアを効果的に低減させることができる。  
【００３２】
また、本願第１発明の光学系は、前記物体側から見て凹形状のレンズ面は、前記第２レンズ群内のレンズの物体側レンズ面であることが望ましい。第２レンズ群における光学面のうち、物体側から見て凹形状のレンズ面では反射光が発生しやすい。このため、斯かるレンズ面に反射防止膜を形成することで、ゴーストやフレアを効果的に低減させることができる。
【００３３】
なお、本願第１発明の光学系における反射防止膜は、ウェットプロセスに限られず、ドライプロセス等によって形成してもよい。この場合、反射防止膜は屈折率が１．３０以下となる層を少なくとも１層含むようにすることが好ましい。この構成により、反射防止膜をドライプロセス等によって形成した場合でも、反射防止膜をウェットプロセスによって形成した場合と同様の効果を得ることができる。なお、屈折率が１．３０以下となる層は、多層膜を構成する層のうちの最も表面側の層であることが好ましい。
【００３４】
また、本願第１発明の光学系は、以下の条件式（１−２）を満足することが望ましい。
（１−２）  −１．６０＜βｒ×（１−βｓ）＜−０．８５
ただし、
βｓ：前記シフトレンズ群の横倍率
βｒ：前記シフトレンズ群よりも像側に位置する全てのレンズの横倍率
【００３５】
条件式（１−２）は、シフトレンズ群の光軸と直交する方向への移動量に対する像の光軸と直交する方向への移動量である、所謂ブレ係数の適切な範囲を規定するものである。本願第１発明の光学系は、条件式（１−２）を満足することにより、球面収差、コマ収差及び像面湾曲を良好に補正でき、レンズシフト時の光学性能の劣化を抑えることができる。
【００３６】
本願第１発明の光学系の条件式（１−２）の対応値が上限値を上回ると、シフトレンズ群の移動量に対する像の移動量が相対的に小さくなる。これにより、球面収差とコマ収差が補正不足になってしまうため好ましくない。なお、本願の効果をより確実にするために、条件式（１−２）の上限値を−０．９５とすることがより好ましい。また、本願の効果をより確実にするために、条件式（１−２）の上限値を−１．００とすることがより好ましい。
【００３７】
一方、本願第１発明の光学系の条件式（１−２）の対応値が下限値を下回ると、シフトレンズ群の移動量に対する像の移動量が大きくなり過ぎる。これにより、コマ収差と像面湾曲が悪化してしまうため好ましくない。なお、本願の効果をより確実にするために、条件式（１−２）の下限値を−１．５５とすることがより好ましい。
【００３８】
また、本願第１発明の光学系は、前記第３ａレンズ群が正レンズと負レンズとから構成されていることが望ましい。この構成により、第３ａレンズ群において球面収差とコマ収差を良好に補正でき、本願第１発明の光学系のさらなる高性能化を図ることができる。特に、前記第３ａレンズ群が正の屈折力を有する構成とすることがより望ましい。
【００３９】
また、本願第１発明の光学系は、前記第３ｂレンズ群が、物体側から順に、正レンズと負レンズとの接合レンズと、負レンズとから構成されていることが望ましい。この構成により、第３ｂレンズ群において球面収差を良好に補正することができ、第３レンズ群全体において球面収差とコマ収差を良好に補正することができる。これにより、本願第１発明の光学系は、さらなる高性能化を図りながら、レンズシフト時の光学性能の劣化をより良好に抑えることができる。
【００４０】
また、本願第１発明の光学系は、前記第３ａレンズ群の物体側又は像側に開口絞りを有することが望ましい。この構成により、本願第１発明の光学系の屈折力配置を、物体側から順に、正の屈折力を有する第１レンズ群、負の屈折力を有する第２レンズ群、開口絞り、正の屈折力を有する第３レンズ群という対称型に近付けて、像面湾曲と歪曲収差を良好に補正することができる。これにより、本願第１発明の光学系はさらなる高性能化を図ることができる。
【００４１】
また、本願第１発明の光学系は、前記第３レンズ群が、物体側から順に、前記第３ａレンズ群と、前記第３ｂレンズ群と、第３ｃレンズ群とから構成され、以下の条件式（１−３）を満足することが望ましい。
（１−３）  −０．４５＜ｆ３ａ／ｆ３ｂｃ＜０．４０
ただし、
ｆ３ａ：前記第３ａレンズ群の焦点距離
ｆ３ｂｃ：無限遠物体合焦時の前記第３ｂレンズ群と前記第３ｃレンズ群の合成焦点距離
【００４２】
条件式（１−３）は、第３ａレンズ群の焦点距離と、第３ｂレンズ群と第３ｃレンズ群の合成焦点距離との比の適切な範囲を規定するものである。本願の光学系は、条件式（１−３）を満足することにより、球面収差とコマ収差、及びレンズシフト時のコマ収差の変動を良好に補正できる。これにより、本願第１発明の光学系は、さらなる高性能化を図りながら、レンズシフト時の光学性能の劣化を抑えることができる。
【００４３】
本願第１発明の光学系の条件式（１−３）の対応値が上限値を上回ると、第３ａレンズ群の屈折力が相対的に小さくなり、第３ａレンズ群単体で発生する球面収差とコマ収差が補正不足になってしまう。また、第３ｂレンズ群と第３ｃレンズ群の屈折力が相対的に大きくなる。このため、レンズシフト時にコマ収差の変動を抑えることができなくなり、高い光学性能を得ることができなくなってしまう。なお、本願の効果をより確実にするために、条件式（１−３）の上限値を０．３５とすることがより好ましい。また、本願の効果をより確実にするために、条件式（１−３）の上限値を０．３０とすることがより好ましい。
【００４４】
一方、本願第１発明の光学系の条件式（１−３）の対応値が下限値を下回ると、第３ａレンズ群の屈折力が相対的に大きくなり、第３ａレンズ群単体で球面収差とコマ収差が多大に発生してしまう。また、第３ｂレンズ群と第３ｃレンズ群の屈折力が相対的に小さくなる。このため、レンズシフト時にコマ収差が補正不足になってしまう。なお、本願の効果をより確実にするために、条件式（１−３）の下限値を−０．４０とすることがより好ましい。また、本願の効果をより確実にするために、条件式（１−３）の下限値を−０．３５とすることがより好ましい。
【００４５】
また、本願第１発明の光学系は、前記第１レンズ群が、物体側から順に、第１ａレンズ群と、第１ｂレンズ群とから構成され、前記第１ａレンズ群と前記第１ｂレンズ群との空気間隔が、前記第１レンズ群中の空気間隔のうちで最大であり、前記第１ａレンズ群が最も像側に負レンズを有することが望ましい。この構成により、第１レンズ群単体で球面収差が発生することを抑え、第１レンズ群全体において球面収差とコマ収差を良好に補正することができる。これにより、本願第１発明の光学系は、さらなる高性能化を図りながら、合焦時の光学性能の劣化を抑えることができる。
【００４６】
また、本願第１発明の光学系は、前記第１レンズ群が、物体側から順に、第１ａレンズ群と、第１ｂレンズ群とから構成され、前記第１ａレンズ群と前記第１ｂレンズ群との空気間隔が、前記第１レンズ群中の空気間隔のうちで最大であり、以下の条件式（１−４）を満足することが望ましい。
（１−４）  １．４０＜ｆ１ａ／ｆ１ｂ＜２．０５
ただし、
ｆ１ａ：前記第１ａレンズ群の焦点距離
ｆ１ｂ：前記第１ｂレンズ群の焦点距離
【００４７】
条件式（１−４）は、第１ａレンズ群と第１ｂレンズ群の焦点距離比の適切な範囲を規定するものである。本願第１発明の光学系は、条件式（１−４）を満足することにより、第１ａレンズ群単体で発生する球面収差とコマ収差を良好に補正することができる。これにより、本願第１発明の光学系は、さらなる高性能化を図りながら、合焦時の光学性能の劣化を抑えることができる。
【００４８】
本願第１発明の光学系の条件式（１−４）の対応値が上限値を上回ると、第１ａレンズ群の屈折力が相対的に小さくなり、第１ａレンズ群単体で発生する球面収差とコマ収差が補正不足になってしまう。また、第１ｂレンズ群の屈折力が相対的に大きくなり、合焦時に球面収差の変動を抑えることができなくなるため、高い光学性能を得ることができなくなってしまう。なお、本願の効果をより確実にするために、条件式（１−４）の上限値を２．００とすることがより好ましい。また、本願の効果をより確実にするために、条件式（１−４）の上限値を１．９５とすることがより好ましい。
【００４９】
一方、本願第１発明の光学系の条件式（１−４）の対応値が下限値を下回ると、第１ａレンズ群の屈折力が相対的に大きくなり、第１ａレンズ群単体で球面収差とコマ収差が多大に発生してしまう。なお、本願の効果をより確実にするために、条件式（１−４）の下限値を１．４５とすることがより好ましい。また、本願の効果をより確実にするために、条件式（１−４）の下限値を１．５０とすることがより好ましい。
【００５０】
また、本願第１発明の光学系は、前記第１レンズ群が、物体側から順に、第１ａレンズ群と、第１ｂレンズ群とから構成され、前記第１ａレンズ群と前記第１ｂレンズ群との空気間隔が、前記第１レンズ群中の空気間隔のうちで最大であり、前記第１ａレンズ群が、物体側から順に、保護ガラスと、正レンズと、正レンズと、負レンズとから構成されていることが望ましい。この構成により、第１ａレンズ群において球面収差を良好に補正することができる。これにより、本願の光学系は、さらなる高性能化を図りながら、合焦時の光学性能の劣化を抑えることができる。
【００５１】
また、本願第１発明の光学系は、前記第１レンズ群が、物体側から順に、第１ａレンズ群と、第１ｂレンズ群とから構成され、前記第１ａレンズ群と前記第１ｂレンズ群との空気間隔が、前記第１レンズ群中の空気間隔のうちで最大であり、前記第１ｂレンズ群が、物体側から順に、物体側に凸面を向けた負メニスカスレンズと正レンズとの接合レンズで構成されていることが望ましい。この構成により、第１ｂレンズ群において球面収差とコマ収差を良好に補正することができる。これにより、本願第１発明の光学系は、さらなる高性能化を図りながら、合焦時の光学性能の劣化を抑えることができる。
【００５２】
また、本願第１発明の光学系は、前記第１レンズ群が、物体側から順に、第１ａレンズ群と、第１ｂレンズ群とから構成され、前記第１ａレンズ群と前記第１ｂレンズ群との空気間隔が、前記第１レンズ群中の空気間隔のうちで最大であり、前記第１ａレンズ群が以下の条件式（１−５）を満足する少なくとも１枚の正レンズを有することが望ましい。
（１−５）  ９０＜νｄｐ
ただし、
νｄｐ：前記第１ａレンズ群中の前記正レンズの硝材のｄ線（波長５８７．６ｎｍ）に対するアッベ数
【００５３】
条件式（１−５）は、第１ａレンズ群中の正レンズの硝材のアッベ数を規定するものである。本願第１発明の光学系は、条件式（１−５）を満足することにより、第１レンズ群単体で軸上色収差と倍率色収差が発生することを抑えることができる。
【００５４】
本願第１発明の光学系の条件式（１−５）の対応値が下限値を下回ると、第１レンズ群単体で軸上色収差と倍率色収差が多大に発生し、本願第１発明の光学系の光学性能が悪化してしまうため好ましくない。
【００５５】
また、本願第１発明の光学系は、前記第２レンズ群が複数の負レンズを有し、前記複数の負レンズのうちで最も像側に配置された負レンズが以下の条件式（１−６）を満足することが望ましい。
（１−６）  ｎｄｎ＜１．６５
ただし、
ｎｄｎ：前記第２レンズ群中の前記複数の負レンズのうちで最も像側に配置された前記負レンズの硝材のｄ線（波長５８７．６ｎｍ）に対する屈折率
【００５６】
条件式（１−６）は、第２レンズ群中の複数の負レンズのうちで最も像側に配置された負レンズの硝材の屈折率を規定するものである。本願の光学系は、条件式（１−６）を満足することにより、第２レンズ群単体で倍率色収差が発生することを抑えることができる。
【００５７】
本願第１発明の光学系の条件式（１−６）の対応値が上限値を上回ると、第２レンズ群単体で倍率色収差が多大に発生し、本願第１発明の光学系の光学性能が悪化してしまうため好ましくない。
【００５８】
また、本願第１発明の光学系は、前記第２レンズ群が複数の負レンズを有し、前記複数の負レンズのうちで最も物体側に配置された負レンズが以下の条件式（１−７）を満足することが望ましい。
（１−７）  ４９．７＜νｄｎ
ただし、
νｄｎ：前記第２レンズ群中の前記複数の負レンズのうちで最も物体側に配置された前記負レンズの硝材のｄ線（波長５８７．６ｎｍ）に対するアッベ数
【００５９】
条件式（１−７）は、第２レンズ群中の複数の負レンズのうちで最も物体側に配置された負レンズの硝材のアッベ数を規定するものである。本願第１発明の光学系は、条件式（１−７）を満足することにより、第２レンズ群単体で軸上色収差が発生することを抑えることができる。
【００６０】
本願第１発明の光学系の条件式（１−７）の対応値が下限値を下回ると、第２レンズ群単体で軸上色収差が多大に発生し、本願第１発明の光学系の光学性能が悪化してしまうため好ましくない。
【００６１】
また、本願第１発明の光学系は、以下の条件式（１−８）を満足することが望ましい。
（１−８）  −３．００＜ｆ１／ｆ２＜−２．００
ただし、
ｆ１：前記第１レンズ群の焦点距離
ｆ２：前記第２レンズ群の焦点距離
【００６２】
条件式（１−８）は、第１レンズ群と第２レンズ群の焦点距離比の適切な範囲を規定するものである。本願第１発明の光学系は、条件式（１−８）を満足することにより、合焦時にコマ収差の変動を抑え、また第１レンズ群単体で球面収差が発生することを抑えることができる。これにより、本願第１発明の光学系は、さらなる高性能化を図ることができる。
【００６３】
本願第１発明の光学系の条件式（１−８）の対応値が上限値を上回ると、第１レンズ群の屈折力が相対的に小さくなる。このため、第１レンズ群がテレ比、即ち本願第１発明の光学系の全長を焦点距離で割った値を小さくすることに寄与できなくなり、本願第１発明の光学系の全長が大きくなってしまう。また、第２レンズ群の屈折力が相対的に大きくなるため、合焦時にコマ収差の変動を抑えることができなくなり、高い光学性能を得ることができなくなってしまう。なお、本願の効果をより確実にするために、条件式（１−８）の上限値を−２．１５とすることがより好ましい。また、本願の効果をより確実にするために、条件式（１−８）の上限値を−２．３０とすることがより好ましい。
【００６４】
一方、本願第１発明の光学系の条件式（１−８）の対応値が下限値を下回ると、第１レンズ群の屈折力が相対的に大きくなり、第１レンズ群単体で球面収差が多大に発生してしまう。また、第２レンズ群の屈折力が相対的に小さくなり、合焦時の第２レンズ群の移動量が多大になってしまう。なお、本願の効果をより確実にするために、条件式（１−８）の下限値を−２．８５とすることがより好ましい。また、本願の効果をより確実にするために、条件式（１−８）の下限値を−２．７０とすることがより好ましい。
【００６５】
また、本願第１発明の光学系は、前記第２レンズ群が、物体側から順に、像側に凹面を向けた負レンズと、正レンズと負レンズとの接合レンズとから構成されていることが望ましい。この構成により、第２レンズ群においてコマ収差を良好に補正することができる。これにより、本願第１発明の光学系は、さらなる高性能化を図りながら、合焦時の光学性能の劣化を抑えることができる。
【００６６】
また、本願第１発明の光学系は、以下の条件式（１−９）を満足することが望ましい。
（１−９）  ０．１０＜ｆ／ｆ１２＜０．８５
ただし、
ｆ：前記光学系の焦点距離
ｆ１２：無限遠物体合焦時の前記第１レンズ群と前記第２レンズ群の合成焦点距離
【００６７】
条件式（１−９）は、本願第１発明の光学系の焦点距離と第１レンズ群と第２レンズ群の合成焦点距離との比の適切な範囲を規定するものである。本願第１発明の光学系は、条件式（１−９）を満足することにより、第１レンズ群及び第２レンズ群で発生するコマ収差と倍率色収差を良好に補正することができる。これにより、本願第１発明の光学系は、さらなる高性能化を図ることができる。
【００６８】
本願第１発明の光学系の条件式（１−９）の対応値が上限値を上回ると、第１レンズ群と第２レンズ群の屈折力が相対的に大きくなり、第１レンズ群及び第２レンズ群でコマ収差が多大に発生してしまうため好ましくない。なお、本願の効果をより確実にするために、条件式（１−９）の上限値を０．５５とすることがより好ましい。また、本願の効果をより確実にするために、条件式（１−９）の上限値を０．５３とすることがより好ましい。
【００６９】
一方、本願第１発明の光学系の条件式（１−９）の対応値が下限値を下回ると、第１レンズ群と第２レンズ群の屈折力が相対的に小さくなり、第１レンズ群及び第２レンズ群で発生する倍率色収差が補正不足になるため好ましくない。なお、本願の効果をより確実にするために、条件式（１−９）の下限値を０．２０とすることがより好ましい。また、本願の効果をより確実にするために、条件式（１−９）の下限値を０．３０とすることがより好ましい。
【００７０】
また、本願第１発明の光学系は、前記第３レンズ群が、物体側から順に、前記第３ａレンズ群と、前記第３ｂレンズ群と、第３ｃレンズ群とから構成されていることが望ましい。この構成により、第３ａレンズ群で球面収差とコマ収差を補正することができ、第３ｃレンズ群で球面収差を補正することができる。したがって、第３レンズ群全体において球面収差とコマ収差を良好に補正することができる。また、第３ｂレンズ群の少なくとも一部をシフトレンズ群としたことで、レンズシフト時の光学性能の劣化を抑えることができる。
【００７１】
本願第１発明の光学装置は、上述した構成の光学系を有することを特徴とする。これにより、小型で、諸収差を良好に補正し優れた光学性能を有する光学装置を実現することができる。
【００７２】
本願第１発明の光学系の製造方法は、物体側から順に、正の屈折力を有する第１レンズ群と、負の屈折力を有する第２レンズ群と、正の屈折力を有する第３レンズ群とを有する光学系の製造方法であって、前記第１レンズ群、前記第２レンズ群及び前記第３レンズ群における光学面のうちの少なくとも１面に反射防止膜を設け、前記反射防止膜はウェットプロセスを用いて形成された層を少なくとも１層含むようにし、前記第３レンズ群が、物体側から順に、第３ａレンズ群と、第３ｂレンズ群とを有するようにし、無限遠物体から近距離物体への合焦時に、前記第２レンズ群が光軸に沿って移動するようにし、前記第３ｂレンズ群がシフトレンズ群として光軸と直交する方向の成分を含むように移動するようにし、前記光学系が以下の条件式（１−１）を満足するようにすることを特徴とする。これにより、小型で、諸収差を良好に補正し優れた光学性能を有する光学系を製造することができる。
（１−１）  １．７０＜｜ｆＲ／ｆＦ｜＜５．００
ただし、
ｆＲ：無限遠物体合焦時の前記第１レンズ群から前記第３ａレンズ群までの合成焦点距離ｆＦ：無限遠物体合焦時の前記第３ｂレンズ群と前記第３ｂレンズ群よりも像側に位置する全てのレンズの合成焦点距離
【００７３】
次に、本願第２発明の光学系、光学装置及び光学系の製造方法について説明する。
本願第２発明の光学系は、物体側から順に、正の屈折力を有する第１レンズ群と、負の屈折力を有する第２レンズ群と、正の屈折力を有する第３レンズ群とを有し、前記第１レンズ群、前記第２レンズ群及び前記第３レンズ群における光学面のうちの少なくとも１面に反射防止膜が設けられており、前記反射防止膜はウェットプロセスを用いて形成された層を少なくとも１層含んでおり、無限遠物体から近距離物体への合焦時に、前記第２レンズ群が光軸に沿って移動し、前記第３レンズ群の一部がシフトレンズ群として光軸と直交する方向の成分を含むように移動し、以下の条件式（２−１）を満足することを特徴とする。
（２−１）  −１．６０＜βｒ×（１−βｓ）＜−０．８５
ただし、
βｓ：前記シフトレンズ群の横倍率
βｒ：前記シフトレンズ群よりも像側に位置する全てのレンズの横倍率
【００７４】
上記のように本願第２発明の光学系は、物体側から順に、正の屈折力を有する第１レンズ群と、負の屈折力を有する第２レンズ群と、正の屈折力を有する第３レンズ群とを有し、無限遠物体から近距離物体への合焦時に、前記第２レンズ群が光軸に沿って移動し、前記第３レンズ群の一部がシフトレンズ群として光軸と直交する方向の成分を含むように移動する。この構成により、本願第２発明の光学系は小型軽量化と優れた結像性能を達成することができる。
【００７５】
また、上記のように本願第２発明の光学系は、前記第３レンズ群の一部がシフトレンズ群として光軸と直交する方向の成分を含むように移動する。この構成により、手ぶれ等に起因する像ぶれの補正、即ち防振を行うことができる。
【００７６】
条件式（２−１）は、シフトレンズ群の光軸と直交する方向への移動量に対する像の光軸と直交する方向への移動量である、所謂ブレ係数の適切な範囲を規定するものである。本願第２発明の光学系は、条件式（２−１）を満足することにより、球面収差、コマ収差及び像面湾曲を良好に補正でき、レンズシフト時の光学性能の劣化を抑えることができる。
【００７７】
本願第２発明の光学系の条件式（２−１）の対応値が上限値を上回ると、シフトレンズ群の移動量に対する像の移動量が相対的に小さくなる。これにより、球面収差とコマ収差が補正不足になってしまうため好ましくない。なお、本願の効果をより確実にするために、条件式（２−１）の上限値を−０．９５とすることがより好ましい。また、本願の効果をより確実にするために、条件式（２−１）の上限値を−１．００とすることがより好ましい。
【００７８】
一方、本願第２発明の光学系の条件式（２−１）の対応値が下限値を下回ると、シフトレンズ群の移動量に対する像の移動量が大きくなり過ぎる。これにより、コマ収差と像面湾曲が悪化してしまうため好ましくない。なお、本願の効果をより確実にするために、条件式（２−１）の下限値を−１．５５とすることがより好ましい。
以上の構成により、諸収差を良好に補正し、かつレンズシフト時の光学性能の劣化を抑えた光学系を実現することができる。
【００７９】
また、本願第２発明の光学系は、前記第１レンズ群、前記第２レンズ群及び前記第３レンズ群における光学面のうちの少なくとも１面に反射防止膜が設けられており、前記反射防止膜はウェットプロセスを用いて形成された層を少なくとも１層含んでいることを特徴とする。この構成により、本願第２発明の光学系は、物体からの光が光学面で反射されることによって生じるゴーストやフレアをより低減させることができ、高い結像性能を達成することができる。
【００８０】
また、本願第２発明の光学系は、前記反射防止膜は多層膜であり、前記ウェットプロセスを用いて形成された層は、前記多層膜を構成する層のうちの最も表面側の層であることが望ましい。この構成により、前記ウェットプロセスを用いて形成された層と空気との屈折率差を小さくすることができるため、光の反射をより小さくすることが可能になり、ゴーストやフレアをさらに低減させることができる。
【００８１】
また、本願第２発明の光学系は、前記ウェットプロセスを用いて形成された層のｄ線（波長λ＝５８７．６ｎｍ）に対する屈折率をｎｄとしたとき、ｎｄが１．３０以下であることが望ましい。この構成により、前記ウェットプロセスを用いて形成された層と空気との屈折率差を小さくすることができるため、光の反射をより小さくすることが可能になり、ゴーストやフレアをさらに低減させることができる。
【００８２】
また、本願第２発明の光学系は、前記反射防止膜が設けられた前記光学面は、像面側から見て凹形状のレンズ面であることが望ましい。第１レンズ群、第２レンズ群及び第３レンズ群における光学面のうち、像面側から見て凹形状のレンズ面では反射光が発生しやすい。このため、斯かるレンズ面に反射防止膜を形成することで、ゴーストやフレアを効果的に低減させることができる。
【００８３】
また、本願第２発明の光学系は、前記像面側から見て凹形状のレンズ面は、前記第１レンズ群内のレンズの像面側レンズ面であることが望ましい。第１レンズ群における光学面のうち、像面側から見て凹形状のレンズ面では反射光が発生しやすい。このため、斯かるレンズ面に反射防止膜を形成することで、ゴーストやフレアを効果的に低減させることができる。
【００８４】
また、本願第２発明の光学系は、前記像面側から見て凹形状のレンズ面は、前記第２レンズ群内のレンズの像面側レンズ面であることが望ましい。第２レンズ群における光学面のうち、像面側から見て凹形状のレンズ面では反射光が発生しやすい。このため、斯かるレンズ面に反射防止膜を形成することで、ゴーストやフレアを効果的に低減させることができる。
【００８５】
また、本願第２発明の光学系は、前記像面側から見て凹形状のレンズ面は、前記第３レンズ群内のレンズの物体側レンズ面であることが望ましい。第３レンズ群における光学面のうち、像面側から見て凹形状のレンズ面では反射光が発生しやすい。このため、斯かるレンズ面に反射防止膜を形成することで、ゴーストやフレアを効果的に低減させることができる。
【００８６】
また、本願第２発明の光学系は、前記像面側から見て凹形状のレンズ面は、前記第３レンズ群内のレンズの像面側レンズ面であることが望ましい。第３レンズ群における光学面のうち、像面側から見て凹形状のレンズ面では反射光が発生しやすい。このため、斯かるレンズ面に反射防止膜を形成することで、ゴーストやフレアを効果的に低減させることができる。
【００８７】
また、本願第２発明の光学系は、前記像面側から見て凹形状のレンズ面は、前記第３レンズ群内の物体側から４番目のレンズの像面側レンズ面であることが望ましい。第３レンズ群における光学面のうち、像面側から見て凹形状のレンズ面では反射光が発生しやすい。このため、斯かるレンズ面に反射防止膜を形成することで、ゴーストやフレアを効果的に低減させることができる。
【００８８】
また、本願第２発明の光学系は、前記反射防止膜が設けられた前記光学面は、物体側から見て凹形状のレンズ面であることが望ましい。第１レンズ群及び第２レンズ群における光学面のうち、物体側から見て凹形状のレンズ面では反射光が発生しやすい。このため、斯かるレンズ面に反射防止膜を形成することで、ゴーストやフレアを効果的に低減させることができる。
【００８９】
また、本願第２発明の光学系は、前記物体側から見て凹形状のレンズ面は、前記第１レンズ群内のレンズの物体側レンズ面であることが望ましい。第１レンズ群における光学面のうち、物体側から見て凹形状のレンズ面では反射光が発生しやすい。このため、斯かるレンズ面に反射防止膜を形成することで、ゴーストやフレアを効果的に低減させることができる。
【００９０】
また、本願第２発明の光学系は、前記物体側から見て凹形状のレンズ面は、前記第１レンズ群内のレンズの像面側レンズ面であることが望ましい。第１レンズ群における光学面のうち、物体側から見て凹形状のレンズ面では反射光が発生しやすい。このため、斯かるレンズ面に反射防止膜を形成することで、ゴーストやフレアを効果的に低減させることができる。  
【００９１】
また、本願第２発明の光学系は、前記物体側から見て凹形状のレンズ面は、前記第２レンズ群内のレンズの物体側レンズ面であることが望ましい。第２レンズ群における光学面のうち、物体側から見て凹形状のレンズ面では反射光が発生しやすい。このため、斯かるレンズ面に反射防止膜を形成することで、ゴーストやフレアを効果的に低減させることができる。
【００９２】
なお、本願第２発明の光学系における反射防止膜は、ウェットプロセスに限られず、ドライプロセス等によって形成してもよい。この場合、反射防止膜は屈折率が１．３０以下となる層を少なくとも１層含むようにすることが好ましい。この構成により、反射防止膜をドライプロセス等によって形成した場合でも、反射防止膜をウェットプロセスによって形成した場合と同様の効果を得ることができる。なお、屈折率が１．３０以下となる層は、多層膜を構成する層のうちの最も表面側の層であることが好ましい。
【００９３】
また、本願第２発明の光学系は、前記第３レンズ群が、物体側から順に、第３ａレンズ群と、第３ｂレンズ群と、第３ｃレンズ群とから構成され、前記第３ｂレンズ群が前記シフトレンズ群として光軸と直交する方向の成分を含むように移動することが望ましい。この構成により、第３ａレンズ群で球面収差とコマ収差を補正することができ、第３ｃレンズ群で球面収差を補正することができる。したがって、第３レンズ群全体において球面収差とコマ収差を良好に補正することができる。また、第３ｂレンズ群をシフトレンズ群としたことで、レンズシフト時の光学性能の劣化を抑えることができる。
【００９４】
また、本願第２発明の光学系は、前記第３レンズ群が、物体側から順に、第３ａレンズ群と、第３ｂレンズ群と、第３ｃレンズ群とから構成され、前記第３ａレンズ群が正レンズと負レンズとから構成されていることが望ましい。この構成により、第３ａレンズ群において球面収差とコマ収差を良好に補正でき、本願第２発明の光学系のさらなる高性能化を図ることができる。特に、前記第３ａレンズ群が正の屈折力を有する構成とすることがより望ましい。
【００９５】
また、本願第２発明の光学系は、前記シフトレンズ群が、物体側から順に、正レンズと負レンズとの接合レンズと、負レンズとから構成されていることが望ましい。この構成により、シフトレンズ群において球面収差を良好に補正することができ、第３レンズ群全体において球面収差とコマ収差を良好に補正することができる。これにより、本願第２発明の光学系は、さらなる高性能化を図りながら、レンズシフト時の光学性能の劣化をより良好に抑えることができる。
【００９６】
また、本願第２発明の光学系は、前記第３レンズ群が、物体側から順に、第３ａレンズ群と、第３ｂレンズ群と、第３ｃレンズ群とから構成され、前記第３ａレンズ群の物体側又は像側に開口絞りを有することが望ましい。この構成により、本願第２発明の光学系の屈折力配置を、物体側から順に、正の屈折力を有する第１レンズ群、負の屈折力を有する第２レンズ群、開口絞り、正の屈折力を有する第３レンズ群という対称型に近付けて、像面湾曲と歪曲収差を良好に補正することができる。これにより、本願第２発明の光学系はさらなる高性能化を図ることができる。
【００９７】
また、本願第２発明の光学系は、前記第３レンズ群が、物体側から順に、第３ａレンズ群と、第３ｂレンズ群と、第３ｃレンズ群とから構成され、前記第３ｂレンズ群が前記シフトレンズ群として光軸と直交する方向の成分を含むように移動し、以下の条件式（２−２）を満足することが望ましい。
（２−２）  −０．４５＜ｆ３ａ／ｆ３ｂｃ＜０．４０
ただし、
ｆ３ａ：前記第３ａレンズ群の焦点距離
ｆ３ｂｃ：無限遠物体合焦時の前記第３ｂレンズ群と前記第３ｃレンズ群の合成焦点距離
【００９８】
条件式（２−２）は、第３ａレンズ群の焦点距離と、シフトレンズ群である第３ｂレンズ群と第３ｃレンズ群の合成焦点距離との比の適切な範囲を規定するものである。本願の光学系は、条件式（２−２）を満足することにより、球面収差とコマ収差、及びレンズシフト時のコマ収差の変動を良好に補正できる。これにより、本願第２発明の光学系は、さらなる高性能化を図りながら、レンズシフト時の光学性能の劣化を抑えることができる。
【００９９】
本願第２発明の光学系の条件式（２−２）の対応値が上限値を上回ると、第３ａレンズ群の屈折力が相対的に小さくなり、第３ａレンズ群単体で発生する球面収差とコマ収差が補正不足になってしまう。また、シフトレンズ群と第３ｃレンズ群の屈折力が相対的に大きくなる。このため、レンズシフト時にコマ収差の変動を抑えることができなくなり、高い光学性能を得ることができなくなってしまう。なお、本願の効果をより確実にするために、条件式（２−２）の上限値を０．３５とすることがより好ましい。また、本願の効果をより確実にするために、条件式（２−２）の上限値を０．３０とすることがより好ましい。
【０１００】
一方、本願第２発明の光学系の条件式（２−２）の対応値が下限値を下回ると、第３ａレンズ群の屈折力が相対的に大きくなり、第３ａレンズ群単体で球面収差とコマ収差が多大に発生してしまう。また、シフトレンズ群と第３ｃレンズ群の屈折力が相対的に小さくなる。このため、レンズシフト時にコマ収差が補正不足になってしまう。なお、本願の効果をより確実にするために、条件式（２−２）の下限値を−０．４０とすることがより好ましい。また、本願の効果をより確実にするために、条件式（２−２）の下限値を−０．３５とすることがより好ましい。
【０１０１】
また、本願第２発明の光学系は、前記第１レンズ群が、物体側から順に、第１ａレンズ群と、第１ｂレンズ群とから構成され、前記第１ａレンズ群と前記第１ｂレンズ群との空気間隔が、前記第１レンズ群中の空気間隔のうちで最大であり、前記第１ａレンズ群が最も像側に負レンズを有することが望ましい。この構成により、第１レンズ群単体で球面収差が発生することを抑え、第１レンズ群全体において球面収差とコマ収差を良好に補正することができる。これにより、本願第２発明の光学系は、さらなる高性能化を図りながら、合焦時の光学性能の劣化を抑えることができる。
【０１０２】
また、本願第２発明の光学系は、前記第１レンズ群が、物体側から順に、第１ａレンズ群と、第１ｂレンズ群とから構成され、前記第１ａレンズ群と前記第１ｂレンズ群との空気間隔が、前記第１レンズ群中の空気間隔のうちで最大であり、以下の条件式（２−３）を満足することが望ましい。
（２−３）  １．４０＜ｆ１ａ／ｆ１ｂ＜２．０５
ただし、
ｆ１ａ：前記第１ａレンズ群の焦点距離
ｆ１ｂ：前記第１ｂレンズ群の焦点距離
【０１０３】
条件式（２−３）は、第１ａレンズ群と第１ｂレンズ群の焦点距離比の適切な範囲を規定するものである。本願の光学系は、条件式（２−３）を満足することにより、第１ａレンズ群単体で発生する球面収差とコマ収差を良好に補正することができる。これにより、本願第２発明の光学系は、さらなる高性能化を図りながら、合焦時の光学性能の劣化を抑えることができる。
【０１０４】
本願第２発明の光学系の条件式（２−３）の対応値が上限値を上回ると、第１ａレンズ群の屈折力が相対的に小さくなり、第１ａレンズ群単体で発生する球面収差とコマ収差が補正不足になってしまう。また、第１ｂレンズ群の屈折力が相対的に大きくなり、合焦時に球面収差の変動を抑えることができなくなるため、高い光学性能を得ることができなくなってしまう。なお、本願の効果をより確実にするために、条件式（２−３）の上限値を２．００とすることがより好ましい。また、本願の効果をより確実にするために、条件式（２−３）の上限値を１．９５とすることがより好ましい。
【０１０５】
一方、本願第２発明の光学系の条件式（２−３）の対応値が下限値を下回ると、第１ａレンズ群の屈折力が相対的に大きくなり、第１ａレンズ群単体で球面収差とコマ収差が多大に発生してしまう。なお、本願の効果をより確実にするために、条件式（２−３）の下限値を１．４５とすることがより好ましい。また、本願の効果をより確実にするために、条件式（２−３）の下限値を１．５０とすることがより好ましい。
【０１０６】
また、本願第２発明の光学系は、前記第１レンズ群が、物体側から順に、第１ａレンズ群と、第１ｂレンズ群とから構成され、前記第１ａレンズ群と前記第１ｂレンズ群との空気間隔が、前記第１レンズ群中の空気間隔のうちで最大であり、前記第１ａレンズ群が、物体側から順に、保護ガラスと、正レンズと、正レンズと、負レンズとから構成されていることが望ましい。この構成により、第１ａレンズ群において球面収差を良好に補正することができる。これにより、本願第２発明の光学系は、さらなる高性能化を図りながら、合焦時の光学性能の劣化を抑えることができる。
【０１０７】
また、本願第２発明の光学系は、前記第１レンズ群が、物体側から順に、第１ａレンズ群と、第１ｂレンズ群とから構成され、前記第１ａレンズ群と前記第１ｂレンズ群との空気間隔が、前記第１レンズ群中の空気間隔のうちで最大であり、前記第１ｂレンズ群が、物体側から順に、物体側に凸面を向けた負メニスカスレンズと正レンズとの接合レンズで構成されていることが望ましい。この構成により、第１ｂレンズ群において球面収差とコマ収差を良好に補正することができる。これにより、本願第２発明の光学系は、さらなる高性能化を図りながら、合焦時の光学性能の劣化を抑えることができる。
【０１０８】
また、本願第２発明の光学系は、前記第１レンズ群が、物体側から順に、第１ａレンズ群と、第１ｂレンズ群とから構成され、前記第１ａレンズ群と前記第１ｂレンズ群との空気間隔が、前記第１レンズ群中の空気間隔のうちで最大であり、前記第１ａレンズ群が以下の条件式（２−４）を満足する少なくとも１枚の正レンズを有することが望ましい。
（２−４）  ９０＜νｄｐ
ただし、
νｄｐ：前記第１ａレンズ群中の前記正レンズの硝材のｄ線（波長５８７．６ｎｍ）に対するアッベ数
【０１０９】
条件式（２−４）は、第１ａレンズ群中の正レンズの硝材のアッベ数を規定するものである。本願の光学系は、条件式（２−４）を満足することにより、第１レンズ群単体で軸上色収差と倍率色収差が発生することを抑えることができる。
【０１１０】
本願第２発明の光学系の条件式（２−４）の対応値が下限値を下回ると、第１レンズ群単体で軸上色収差と倍率色収差が多大に発生し、本願第２発明の光学系の光学性能が悪化してしまうため好ましくない。
【０１１１】
また、本願第２発明の光学系は、前記第２レンズ群が複数の負レンズを有し、前記複数の負レンズのうちで最も像側に配置された負レンズが以下の条件式（２−５）を満足することが望ましい。
（２−５）  ｎｄｎ＜１．６５
ただし、
ｎｄｎ：前記第２レンズ群中の前記複数の負レンズのうちで最も像側に配置された前記負レンズの硝材のｄ線（波長５８７．６ｎｍ）に対する屈折率
【０１１２】
条件式（２−５）は、第２レンズ群中の複数の負レンズのうちで最も像側に配置された負レンズの硝材の屈折率を規定するものである。本願第２発明の光学系は、条件式（２−５）を満足することにより、第２レンズ群単体で倍率色収差が発生することを抑えることができる。
【０１１３】
本願第２発明の光学系の条件式（２−５）の対応値が上限値を上回ると、第２レンズ群単体で倍率色収差が多大に発生し、本願第２発明の光学系の光学性能が悪化してしまうため好ましくない。
【０１１４】
また、本願第２発明の光学系は、前記第２レンズ群が複数の負レンズを有し、前記複数の負レンズのうちで最も物体側に配置された負レンズが以下の条件式（２−６）を満足することが望ましい。
（２−６）  ４９．７＜νｄｎ
ただし、
νｄｎ：前記第２レンズ群中の前記複数の負レンズのうちで最も物体側に配置された前記負レンズの硝材のｄ線（波長５８７．６ｎｍ）に対するアッベ数
【０１１５】
条件式（２−６）は、第２レンズ群中の複数の負レンズのうちで最も物体側に配置された負レンズの硝材のアッベ数を規定するものである。本願第２発明の光学系は、条件式（２−６）を満足することにより、第２レンズ群単体で軸上色収差が発生することを抑えることができる。
【０１１６】
本願第２発明の光学系の条件式（２−６）の対応値が下限値を下回ると、第２レンズ群単体で軸上色収差が多大に発生し、本願第２発明の光学系の光学性能が悪化してしまうため好ましくない。
【０１１７】
また、本願第２発明の光学系は、以下の条件式（２−７）を満足することが望ましい。
（２−７）  −３．００＜ｆ１／ｆ２＜−２．００
ただし、
ｆ１：前記第１レンズ群の焦点距離
ｆ２：前記第２レンズ群の焦点距離
【０１１８】
条件式（２−７）は、第１レンズ群と第２レンズ群の焦点距離比の適切な範囲を規定するものである。本願第２発明の光学系は、条件式（２−７）を満足することにより、合焦時にコマ収差の変動を抑え、また第１レンズ群単体で球面収差が発生することを抑えることができる。これにより、本願第２発明の光学系は、さらなる高性能化を図ることができる。
【０１１９】
本願第２発明の光学系の条件式（２−７）の対応値が上限値を上回ると、第１レンズ群の屈折力が相対的に小さくなる。このため、第１レンズ群がテレ比、即ち本願第２発明の光学系の全長を焦点距離で割った値を小さくすることに寄与できなくなり、本願第２発明の光学系の全長が大きくなってしまう。また、第２レンズ群の屈折力が相対的に大きくなるため、合焦時にコマ収差の変動を抑えることができなくなり、高い光学性能を得ることができなくなってしまう。なお、本願の効果をより確実にするために、条件式（２−７）の上限値を−２．１５とすることがより好ましい。また、本願の効果をより確実にするために、条件式（２−７）の上限値を−２．３０とすることがより好ましい。
【０１２０】
一方、本願第２発明の光学系の条件式（２−７）の対応値が下限値を下回ると、第１レンズ群の屈折力が相対的に大きくなり、第１レンズ群単体で球面収差が多大に発生してしまう。また、第２レンズ群の屈折力が相対的に小さくなり、合焦時の第２レンズ群の移動量が多大になってしまう。なお、本願の効果をより確実にするために、条件式（２−７）の下限値を−２．８５とすることがより好ましい。また、本願の効果をより確実にするために、条件式（２−７）の下限値を−２．７０とすることがより好ましい。
【０１２１】
また、本願第２発明の光学系は、前記第２レンズ群が、物体側から順に、像側に凹面を向けた負レンズと、正レンズと負レンズとの接合レンズとから構成されていることが望ましい。この構成により、第２レンズ群においてコマ収差を良好に補正することができる。これにより、本願第２発明の光学系は、さらなる高性能化を図りながら、合焦時の光学性能の劣化を抑えることができる。
【０１２２】
また、本願第２発明の光学系は、以下の条件式（２−８）を満足することが望ましい。
（２−８）  ０．１０＜ｆ／ｆ１２＜０．８５
ただし、
ｆ：前記光学系の焦点距離
ｆ１２：無限遠物体合焦時の前記第１レンズ群と前記第２レンズ群の合成焦点距離
【０１２３】
条件式（２−８）は、本願第２発明の光学系の焦点距離と第１レンズ群と第２レンズ群の合成焦点距離との比の適切な範囲を規定するものである。本願第２発明の光学系は、条件式（２−８）を満足することにより、第１レンズ群及び第２レンズ群で発生するコマ収差と倍率色収差を良好に補正することができる。これにより、本願第２発明の光学系は、さらなる高性能化を図ることができる。
【０１２４】
本願第２発明の光学系の条件式（２−８）の対応値が上限値を上回ると、第１レンズ群と第２レンズ群の屈折力が相対的に大きくなり、第１レンズ群及び第２レンズ群でコマ収差が多大に発生してしまうため好ましくない。なお、本願の効果をより確実にするために、条件式（２−８）の上限値を０．５５とすることがより好ましい。また、本願の効果をより確実にするために、条件式（２−８）の上限値を０．５３とすることがより好ましい。
【０１２５】
一方、本願第２発明の光学系の条件式（２−８）の対応値が下限値を下回ると、第１レンズ群と第２レンズ群の屈折力が相対的に小さくなり、第１レンズ群及び第２レンズ群で発生する倍率色収差が補正不足になるため好ましくない。なお、本願の効果をより確実にするために、条件式（２−８）の下限値を０．２０とすることがより好ましい。また、本願の効果をより確実にするために、条件式（２−８）の下限値を０．３０とすることがより好ましい。
【０１２６】
本願第２発明の光学装置は、上述した構成の光学系を有することを特徴とする。これにより、諸収差を良好に補正し、かつレンズシフト時の光学性能の劣化を抑えた光学装置を実現することができる。
【０１２７】
本願第２発明の光学系の製造方法は、物体側から順に、正の屈折力を有する第１レンズ群と、負の屈折力を有する第２レンズ群と、正の屈折力を有する第３レンズ群とを有する光学系の製造方法であって、前記第１レンズ群、前記第２レンズ群及び前記第３レンズ群における光学面のうちの少なくとも１面に反射防止膜を設け、前記反射防止膜はウェットプロセスを用いて形成された層を少なくとも１層含むようにし、無限遠物体から近距離物体への合焦時に、前記第２レンズ群が光軸に沿って移動するようにし、前記第３レンズ群の一部がシフトレンズ群として光軸と直交する方向の成分を含むように移動するようにし、前記光学系が以下の条件式（２−１）を満足するようにすることを特徴とする。これにより、諸収差を良好に補正し、かつレンズシフト時の光学性能の劣化を抑えた光学系を製造することができる。
（２−１）  −１．６０＜βｒ×（１−βｓ）＜−０．８５
ただし、
βｓ：前記シフトレンズ群の横倍率
βｒ：前記シフトレンズ群よりも像側に位置する全てのレンズの横倍率
【０１２８】
以下、本願第１及び第２発明の数値実施例に係る光学系を添付図面に基づいて説明する。
（第１及び第２発明の第１実施例）
図１は、本願第１及び第２発明の第１実施例に係る光学系の無限遠物体合焦時のレンズ配置を示す断面図である。
本実施例に係る光学系は、物体側から順に、正の屈折力を有する第１レンズ群Ｇ１と、負の屈折力を有する第２レンズ群Ｇ２と、正の屈折力を有する第３レンズ群Ｇ３とから構成されている。なお、第２レンズ群Ｇ２と第３レンズ群Ｇ３との間には開口絞りＳが備えられており、第３レンズ群Ｇ３と像面Ｉとの間にはフィルタＦＬが備えられている。
【０１２９】
第１レンズ群Ｇ１は、物体側から順に、正の屈折力を有する第１ａレンズ群Ｇ１ａと、正の屈折力を有する第１ｂレンズ群Ｇ１ｂとから構成されている。
第１ａレンズ群Ｇ１ａは、物体側から順に、保護フィルタガラスＦＬＧと、両凸形状の正レンズＬ１１と、両凸形状の正レンズＬ１２と、両凹形状の負レンズＬ１３とからなる。なお、保護フィルタガラスＦＬＧは、物体側に凸面を向けた負メニスカス形状をしており、実質的に屈折力を有していない。
第１ｂレンズ群Ｇ１ｂは、物体側から順に、物体側に凸面を向けた負メニスカスレンズＬ１４と物体側に凸面を向けた正メニスカスレンズＬ１５との接合レンズからなる。
【０１３０】
第２レンズ群Ｇ２は、物体側から順に、両凹形状の負レンズＬ２１と、物体側に凹面を向けた正メニスカスレンズＬ２２と両凹形状の負レンズＬ２３との接合負レンズとからなる。
【０１３１】
第３レンズ群Ｇ３は、物体側から順に、正の屈折力を有する第３ａレンズ群Ｇ３ａと、負の屈折力を有する第３ｂレンズ群Ｇ３ｂと、正の屈折力を有する第３ｃレンズ群Ｇ３ｃとから構成されている。
第３ａレンズ群Ｇ３ａは、物体側から順に、両凸形状の正レンズＬ３１と、物体側に凹面を向けた負メニスカスレンズＬ３２とからなる。
第３ｂレンズ群Ｇ３ｂは、物体側から順に、両凸形状の正レンズＬ３３と両凹形状の負レンズＬ３４との接合レンズと、両凹形状の負レンズＬ３５とからなる。
第３ｃレンズ群Ｇ３ｃは、物体側から順に、両凸形状の正レンズＬ３６と、両凸形状の正レンズＬ３７と両凹形状の負レンズＬ３８との接合レンズとからなる。
【０１３２】
本実施例に係る光学系は、第３レンズ群Ｇ３の両凹形状の負レンズＬ３４の像面側レンズ面（面番号２４）と、第３レンズ群Ｇ３の両凸形状の正レンズＬ３６の物体側レンズ面（面番号２７）に、後述する反射防止膜が形成されている。
【０１３３】
以上の構成の下、本実施例に係る光学系では、第２レンズ群Ｇ２を光軸に沿って像側へ移動させることにより、無限遠物体から近距離物体への合焦を行う。なお、合焦時、開口絞りＳの位置は像面Ｉに対して固定である。また、本実施例に係る光学系の近距離物体合焦時の撮影距離は２．６ｍである。
本実施例に係る光学系では、第３レンズ群Ｇ３における第３ｂレンズ群Ｇ３ｂをシフトレンズ群（防振レンズ群）として光軸と直交する方向の成分を含むようにシフトさせることにより防振を行う。
なお、像面Ｉ上には、ＣＣＤやＣＭＯＳ等で構成された不図示の撮像素子が配置される。これは後述する各実施例においても同様である。
【０１３４】
以下の表１に、本実施例に係る光学系の諸元の値を掲げる。
表１において、ｆは焦点距離、Ｂｆはバックフォーカス（フィルタＦＬと像面Ｉとの光軸上の距離）を示す。
[面データ]において、面番号は物体側から数えた光学面の順番、ｒは曲率半径、ｄは面間隔（第n面（nは整数）と第n+1面との間隔）、ｎｄはｄ線（波長５８７．６ｎｍ）に対する屈折率、νｄはｄ線（波長５８７．６ｎｍ）に対するアッベ数をそれぞれ示している。また、物面は物体面、可変は可変の面間隔、絞りＳは開口絞りＳ、像面は像面Ｉをそれぞれ示している。なお、曲率半径ｒ＝∞は平面を示している。また、空気の屈折率ｎｄ＝1.00000の記載は省略している。
【０１３５】
［各種データ］において、ＦＮＯはＦナンバー、２ωは画角（単位は「°」）、Ｙは像高、ＴＬは本実施例に係る光学系の全長（第１面から像面Ｉまでの光軸上の距離）、dnは第n面と第n+1面との可変の間隔をそれぞれ示す。なお、βは撮影倍率、ｄ0は物体から第１面までの距離を示す。
［レンズ群データ］には、各レンズ群の始面と焦点距離を示す。
［条件式対応値］には、第１及び第２発明の本実施例に係る光学系の各条件式の対応値を示す。
【０１３６】
ここで、表１に掲載されている焦点距離ｆ、曲率半径ｒ及びその他の長さの単位は一般に「ｍｍ」が使われる。しかしながら光学系は、比例拡大又は比例縮小しても同等の光学性能が得られるため、これに限られるものではない。
なお、以上に述べた表１の符号は、後述する各実施例の表においても同様に用いるものとする。
【０１３７】
（表１）第１及び第２発明の第１実施例
[面データ]
面番号          ｒ        ｄ     ｎｄ     νｄ
物面           ∞        ∞
1        1200.3704    5.00   1.51680   63.88
2        1199.7897    1.00
3         208.5821   17.50   1.43385   95.25
4       -1176.6338   45.00
5         180.4147   18.00   1.43385   95.25
6        -380.1711    3.00
7        -348.9527    6.00   1.61266   44.46
8         384.9936   90.00
9          67.5463    4.00   1.79500   45.31
10          46.6351   15.00   1.49782   82.57
11        1089.9704    可変
12       -1616.0869    2.50   1.77250   49.62
13         118.0496    3.35
14        -285.3999    3.50   1.84666   23.80
15         -87.3702    2.40   1.51823   58.82
16          63.6357    可変
17(絞りＳ)    ∞       2.00
18          84.6009    8.00   1.48749   70.31
19         -63.3175    0.60
20         -66.2548    1.90   1.84666   23.80
21        -116.1778    5.00
22         433.7902    3.50   1.84666   23.80
23        -123.0826    1.90   1.59319   67.90 
24          51.3275    3.60
25        -293.4310    1.90   1.75500   52.34
26         110.9976    4.00
27         130.2260    3.50   1.77250   49.62
28        -326.0207    0.10
29          67.6197    4.50   1.64000   60.20
30        -391.1361    1.90   1.84666   23.80
31         276.0025    9.00
32            ∞       2.00   1.51680   63.88
33            ∞       Ｂｆ
像面            ∞
［各種データ］
ｆ              392.00
ＦＮＯ            2.88
２ω              6.27
Ｙ               21.60
ＴＬ            396.95
Ｂｆ             71.551
無限遠物体合焦時   近距離物体合焦時
ｆ又はβ         392.003            -0.173
ｄ0                 ∞            2201.931
ｄ11              19.530            34.930
ｄ16              36.219            20.820
Ｂｆ              71.551            71.575
［レンズ群データ］
群      始面         ｆ
1         1        179.9884
2        12        -67.9431
3        18        163.6612
［条件式対応値］
（第１発明）
ｆＦ ＝ 322.0136
ｆＲ ＝ -760.8459
ｆ ＝ 392.0028
ｆ１ ＝ 179.9884
ｆ１ａ ＝ 355.6752
ｆ１ｂ ＝ 194.3600
ｆ２ ＝ -67.9431
ｆ１２ ＝ 1030.4247
ｆ３ａ ＝ 125.9727
ｆ３ｂｃ ＝ -760.8459
νｄｐ ＝ 95.25(L11), 95.25(L12)
ｎｄｎ ＝ 1.51823
νｄｎ ＝ 58.82
βｓ ＝ -4.8884
βｒ ＝ -0.2490
（１−１）  ｜ｆＲ／ｆＦ｜ ＝ 2.3628
（１−２）  βｒ×（１−βｓ） ＝ -1.4664
（１−３）  ｆ３ａ／ｆ３ｂｃ ＝ -0.1656
（１−４）  ｆ１ａ／ｆ１ｂ ＝ 1.8300
（１−５）  νｄｐ ＝ 95.25(L11), 95.25(L12)
（１−６）  ｎｄｎ ＝ 1.51823
（１−７）  νｄｎ ＝ 58.82
（１−８）  ｆ１／ｆ２ ＝ -2.6491
（１−９）  ｆ／ｆ１２ ＝ 0.3804
（第２発明）
ｆ ＝ 392.0028
ｆ１ ＝ 179.9884
ｆ１ａ ＝ 355.6752
ｆ１ｂ ＝ 194.3600
ｆ２ ＝ -67.9431
ｆ１２ ＝ 1030.4247
ｆ３ａ ＝ 125.9727
ｆ３ｂｃ ＝ -760.8459
νｄｐ ＝ 95.25(L11), 95.25(L12)
ｎｄｎ ＝ 1.51823
νｄｎ ＝ 58.82
βｓ ＝ -4.8884
βｒ ＝ -0.2490
（２−１）  βｒ×（１−βｓ） ＝ -1.4664
（２−２）  ｆ３ａ／ｆ３ｂｃ ＝ -0.1656
（２−３）  ｆ１ａ／ｆ１ｂ ＝ 1.8300
（２−４）  νｄｐ ＝ 95.25(L11), 95.25(L12)
（２−５）  ｎｄｎ ＝ 1.51823
（２−６）  νｄｎ ＝ 58.82
（２−７）  ｆ１／ｆ２ ＝ -2.6491
（２−８）  ｆ／ｆ１２ ＝ 0.3804
【０１３８】
図２（ａ）、及び図２（ｂ）はそれぞれ、本願第１及び第２発明の第１実施例に係る光学系の無限遠物体合焦時、及び近距離物体合焦時の諸収差図である。
また、図３は、本願第１及び第２発明の第１実施例に係る光学系の無限遠物体合焦時にレンズシフトした際のコマ収差図である。なお、図３におけるシフトレンズ群の光軸と直交する方向へのシフト量は１．４０ｍｍである。
【０１３９】
各収差図において、ＦＮＯはＦナンバー、Ｙは像高をそれぞれ示す。ｄはｄ線（波長５８７．６ｎｍ）、ｇはｇ線（波長４３５．８ｎｍ）における収差をそれぞれ示す。非点収差図において、実線はサジタル像面、破線はメリディオナル像面をそれぞれ示す。コマ収差図は、各像高Ｙにおけるコマ収差を示す。なお、後述する各実施例の収差図においても、本実施例と同様の符号を用いる。
各収差図より、本実施例に係る光学系は諸収差を良好に補正し優れた結像性能を有しており、さらにレンズシフト時にも優れた結像性能を有していることがわかる。
【０１４０】
ここで、本実施例に係る光学系においてゴーストやフレアが発生する原因について説明する。
図３０は、本実施例に係る光学系に入射した光線が第１番目の反射面と第２番目の反射面で反射して像面Ｉにゴーストやフレアを形成する様子の一例を示す図である。
図３０において、物体側からの光線ＢＭが図示のように光学系に入射すると、光線ＢＭの一部は第３レンズ群Ｇ３における両凸形状の正レンズＬ３６の物体側レンズ面（面番号２７、ゴーストやフレアとなる反射光が生じる第１番目の反射面）で反射され、さらに第３レンズ群Ｇ３における両凹形状の負レンズＬ３４の像面側レンズ面（面番号２４、ゴーストやフレアとなる反射光が生じる第２番目の反射面）で再度反射され、最終的に像面Ｉに到達してゴーストやフレアを発生させてしまう。なお、前記第１番目の反射面は像面側から見て凹形状のレンズ面、前記第２番目の反射面は像面側から見て凹形状のレンズ面である。
そこで本実施例に係る光学系は、斯かるレンズ面に広い波長範囲で広い入射角の光線に対応した反射防止膜を形成することで、反射光の発生を抑え、ゴーストやフレアを効果的に低減させることができる。
【０１４１】
（第１及び第２発明の第２実施例）
図４は、本願第１及び第２発明の第２実施例に係る光学系の無限遠物体合焦時のレンズ配置を示す断面図である。
本実施例に係る光学系は、物体側から順に、正の屈折力を有する第１レンズ群Ｇ１と、負の屈折力を有する第２レンズ群Ｇ２と、正の屈折力を有する第３レンズ群Ｇ３とから構成されている。なお、第２レンズ群Ｇ２と第３レンズ群Ｇ３との間には開口絞りＳが備えられており、第３レンズ群Ｇ３と像面Ｉとの間にはフィルタＦＬが備えられている。
【０１４２】
第１レンズ群Ｇ１は、物体側から順に、正の屈折力を有する第１ａレンズ群Ｇ１ａと、正の屈折力を有する第１ｂレンズ群Ｇ１ｂとから構成されている。  第１ａレンズ群Ｇ１ａは、物体側から順に、保護フィルタガラスＦＬＧと、両凸形状の正レンズＬ１１と、両凸形状の正レンズＬ１２と、両凹形状の負レンズＬ１３とからなる。なお、保護フィルタガラスＦＬＧは、物体側に凸面を向けた負メニスカス形状をしており、実質的に屈折力を有していない。
第１ｂレンズ群Ｇ１ｂは、物体側から順に、物体側に凸面を向けた負メニスカスレンズＬ１４と物体側に凸面を向けた正メニスカスレンズＬ１５との接合レンズからなる。
【０１４３】
第２レンズ群Ｇ２は、物体側から順に、両凹形状の負レンズＬ２１と、物体側に凹面を向けた正メニスカスレンズＬ２２と両凹形状の負レンズＬ２３との接合負レンズとからなる。
【０１４４】
第３レンズ群Ｇ３は、物体側から順に、正の屈折力を有する第３ａレンズ群Ｇ３ａと、負の屈折力を有する第３ｂレンズ群Ｇ３ｂと、正の屈折力を有する第３ｃレンズ群Ｇ３ｃとから構成されている。
第３ａレンズ群Ｇ３ａは、物体側から順に、両凸形状の正レンズＬ３１と、物体側に凹面を向けた負メニスカスレンズＬ３２とからなる。
第３ｂレンズ群Ｇ３ｂは、物体側から順に、両凸形状の正レンズＬ３３と両凹形状の負レンズＬ３４との接合レンズと、両凹形状の負レンズＬ３５とからなる。
第３ｃレンズ群Ｇ３ｃは、物体側から順に、両凸形状の正レンズＬ３６と、両凸形状の正レンズＬ３７と両凹形状の負レンズＬ３８との接合レンズとからなる。
【０１４５】
本実施例に係る光学系は、第３レンズ群Ｇ３の両凹形状の負レンズＬ３４の像面側レンズ面（面番号２４）に、後述する反射防止膜が形成されている。
【０１４６】
以上の構成の下、本実施例に係る光学系では、第２レンズ群Ｇ２を光軸に沿って像側へ移動させることにより、無限遠物体から近距離物体への合焦を行う。なお、合焦時、開口絞りＳの位置は像面Ｉに対して固定である。また、本実施例に係る光学系の近距離物体合焦時の撮影距離は２．６ｍである。
本実施例に係る光学系では、第３レンズ群Ｇ３における第３ｂレンズ群Ｇ３ｂをシフトレンズ群として光軸と直交する方向の成分を含むようにシフトさせることにより防振を行う。
以下の表２に、本実施例に係る光学系の諸元の値を掲げる。
【０１４７】
（表２）第１及び第２発明の第２実施例
[面データ]
面番号          ｒ        ｄ     ｎｄ     νｄ
物面           ∞        ∞
1        1200.3704    5.00   1.51680   63.88
2        1199.7897    1.00
3         205.7091   17.50   1.43385   95.25
4       -1134.8251   45.00
5         173.6014   18.00   1.43385   95.25
6        -417.4854    3.07
7        -374.6983    6.00   1.61266   44.46
8         347.6771   90.00
9          66.1559    4.00   1.79500   45.31
10          45.7808   15.00   1.49782   82.57
11         874.9561    可変
12       -2545.8867    2.50   1.77250   49.62
13         114.9779    3.35
14        -271.4306    3.50   1.84666   23.80
15         -87.3926    2.40   1.51823   58.82
16          63.5469    可変
17(絞りＳ)    ∞       2.00
18          87.7161    7.60   1.48749   70.31
19         -64.5076    1.20
20         -66.7841    1.90   1.84666   23.80
21        -116.0392    5.00
22         325.4187    3.50   1.84666   23.80
23        -134.7294    1.90   1.59319   67.90
24          52.9625    3.60
25        -331.8219    1.90   1.75500   52.34
26          98.9972    4.00
27         117.6253    3.50   1.77250   49.62
28        -402.3365    0.10
29          67.6197    4.50   1.64000   60.20
30        -391.1361    1.90   1.84666   23.80
31         264.8450    9.00
32            ∞       2.00   1.51680   63.88
33            ∞       Ｂｆ
像面            ∞
［各種データ］
ｆ              391.99
ＦＮＯ            2.88
２ω              6.29
Ｙ               21.63
ＴＬ            397.00
Ｂｆ             71.300
無限遠物体合焦時   近距離物体合焦時
ｆ又はβ         391.991            -0.174
ｄ0                 ∞            2203.000
ｄ11              18.344            33.670
ｄ16              37.438            22.112
Ｂｆ              71.300            71.300
［レンズ群データ］
群      始面         ｆ
1         1        179.8867
2        12        -67.1696
3        18        160.1914
［条件式対応値］
（第１発明）
ｆＦ ＝ 331.5552
ｆＲ ＝ -976.6517
ｆ ＝ 391.9914
ｆ１ ＝ 179.8867
ｆ１ａ ＝ 354.4332
ｆ１ｂ ＝ 193.1145
ｆ２ ＝ -67.1696
ｆ１２ ＝ 1088.5976
ｆ３ａ ＝ 129.0469
ｆ３ｂｃ ＝ -976.6517
νｄｐ ＝ 95.25(L11), 95.25(L12)
ｎｄｎ ＝ 1.51823
νｄｎ ＝ 58.82
βｓ ＝ -4.6800
βｒ ＝ -0.2526
（１−１）  ｜ｆＲ／ｆＦ｜ ＝ 2.9457
（１−２）  βｒ×（１−βｓ） ＝ -1.4349
（１−３）  ｆ３ａ／ｆ３ｂｃ ＝ -0.1321
（１−４）  ｆ１ａ／ｆ１ｂ ＝ 1.8354
（１−５）  νｄｐ ＝ 95.25(L11), 95.25(L12)
（１−６）  ｎｄｎ ＝ 1.51823
（１−７）  νｄｎ ＝ 58.82
（１−８）  ｆ１／ｆ２ ＝ -2.6781
（１−９）  ｆ／ｆ１２ ＝ 0.3601
（第２発明）
ｆ ＝ 391.9914
ｆ１ ＝ 179.8867
ｆ１ａ ＝ 354.4332
ｆ１ｂ ＝ 193.1145
ｆ２ ＝ -67.1696
ｆ１２ ＝ 1088.5976
ｆ３ａ ＝ 129.0469
ｆ３ｂｃ ＝ -976.6517
νｄｐ ＝ 95.25(L11), 95.25(L12)
ｎｄｎ ＝ 1.51823
νｄｎ ＝ 58.82
βｓ ＝ -4.6800
βｒ ＝ -0.2526
（２−１）  βｒ×（１−βｓ） ＝ -1.4349
（２−２）  ｆ３ａ／ｆ３ｂｃ ＝ -0.1321
（２−３）  ｆ１ａ／ｆ１ｂ ＝ 1.8354
（２−４）  νｄｐ ＝ 95.25(L11), 95.25(L12)
（２−５）  ｎｄｎ ＝ 1.51823
（２−６）  νｄｎ ＝ 58.82
（２−７）  ｆ１／ｆ２ ＝ -2.6781
（２−８）  ｆ／ｆ１２ ＝ 0.3601
【０１４８】
図５（ａ）、及び図５（ｂ）はそれぞれ、本願第１及び第２発明の第２実施例に係る光学系の無限遠物体合焦時、及び近距離物体合焦時の諸収差図である。
また、図６は、本願第１及び第２発明の第２実施例に係る光学系の無限遠物体合焦時にレンズシフトした際のコマ収差図である。なお、図６におけるシフトレンズ群の光軸と直交する方向へのシフト量は１．４０ｍｍである。
各収差図より、本実施例に係る光学系は諸収差を良好に補正し優れた結像性能を有しており、さらにレンズシフト時にも優れた結像性能を有していることがわかる。
【０１４９】
（第１及び第２発明の第３実施例）
図７は、本願第１及び第２発明の第３実施例に係る光学系の無限遠物体合焦時のレンズ配置を示す断面図である。
本実施例に係る光学系は、物体側から順に、正の屈折力を有する第１レンズ群Ｇ１と、負の屈折力を有する第２レンズ群Ｇ２と、正の屈折力を有する第３レンズ群Ｇ３とから構成されている。なお、第２レンズ群Ｇ２と第３レンズ群Ｇ３との間には開口絞りＳが備えられており、第３レンズ群Ｇ３と像面Ｉとの間にはフィルタＦＬが備えられている。
【０１５０】
第１レンズ群Ｇ１は、物体側から順に、正の屈折力を有する第１ａレンズ群Ｇ１ａと、正の屈折力を有する第１ｂレンズ群Ｇ１ｂとから構成されている。
第１ａレンズ群Ｇ１ａは、物体側から順に、保護フィルタガラスＦＬＧと、両凸形状の正レンズＬ１１と、両凸形状の正レンズＬ１２と、両凹形状の負レンズＬ１３とからなる。なお、保護フィルタガラスＦＬＧは、物体側に凸面を向けた負メニスカス形状をしており、実質的に屈折力を有していない。
第１ｂレンズ群Ｇ１ｂは、物体側から順に、物体側に凸面を向けた負メニスカスレンズＬ１４と物体側に凸面を向けた正メニスカスレンズＬ１５との接合レンズからなる。
【０１５１】
第２レンズ群Ｇ２は、物体側から順に、物体側に凸面を向けた負メニスカスレンズＬ２１と、物体側に凹面を向けた正メニスカスレンズＬ２２と両凹形状の負レンズＬ２３との接合負レンズとからなる。
【０１５２】
第３レンズ群Ｇ３は、物体側から順に、正の屈折力を有する第３ａレンズ群Ｇ３ａと、負の屈折力を有する第３ｂレンズ群Ｇ３ｂと、正の屈折力を有する第３ｃレンズ群Ｇ３ｃとから構成されている。
第３ａレンズ群Ｇ３ａは、物体側から順に、両凸形状の正レンズＬ３１と、物体側に凹面を向けた負メニスカスレンズＬ３２とからなる。
第３ｂレンズ群Ｇ３ｂは、物体側から順に、両凸形状の正レンズＬ３３と両凹形状の負レンズＬ３４との接合レンズと、両凹形状の負レンズＬ３５とからなる。
第３ｃレンズ群Ｇ３ｃは、物体側から順に、両凸形状の正レンズＬ３６と、両凸形状の正レンズＬ３７と両凹形状の負レンズＬ３８との接合レンズとからなる。
【０１５３】
本実施例に係る光学系は、第１レンズ群Ｇ１の正メニスカスレンズＬ１５の像面側レンズ面（面番号１１）に、後述する反射防止膜が形成されている。
【０１５４】
以上の構成の下、本実施例に係る光学系では、第２レンズ群Ｇ２を光軸に沿って像側へ移動させることにより、無限遠物体から近距離物体への合焦を行う。なお、合焦時、開口絞りＳの位置は像面Ｉに対して固定である。また、本実施例に係る光学系の近距離物体合焦時の撮影距離は２．６ｍである。
本実施例に係る光学系では、第３レンズ群Ｇ３における第３ｂレンズ群Ｇ３ｂをシフトレンズ群として光軸と直交する方向の成分を含むようにシフトさせることにより防振を行う。
以下の表３に、本実施例に係る光学系の諸元の値を掲げる。
【０１５５】
（表３）第１及び第２発明の第３実施例
[面データ]
面番号          ｒ        ｄ     ｎｄ     νｄ
物面           ∞        ∞
1        1200.3704    5.00   1.51680   63.88
2        1199.7897    1.00
3         207.0795   17.50   1.43384   95.26
4       -1127.5309   44.90
5         175.9698   18.00   1.43384   95.26
6        -397.2708    3.07
7        -360.2396    6.00   1.61266   44.46
8         353.1837   90.00
9          66.4844    4.00   1.79500   45.32
10          45.9182   15.00   1.49782   82.54
11        1114.1067    可変
12        2992.5492    2.50   1.75500   52.34
13         118.0399    3.35
14        -241.6942    3.50   1.84668   23.83
15         -86.4136    2.40   1.53996   59.52
16          64.2643    可変
17(絞りＳ)    ∞       1.50
18          90.0336    7.60   1.48749   70.43
19         -63.8039    1.20
20         -65.9768    1.90   1.84668   23.83
21        -114.8763    5.00
22         300.3587    3.50   1.84668   23.83
23        -128.0558    1.90   1.59319   67.94
24          53.9004    3.10
25        -347.5421    1.90   1.75500   52.33
26          94.5337    4.19
27         118.3533    3.50   1.77250   49.68
28        -384.3825    0.10
29          67.4622    4.50   1.64000   60.14
30        -340.4206    1.90   1.84668   23.83
31         246.6417    6.50
32            ∞       1.50   1.51680   63.88
33            ∞       Ｂｆ
像面            ∞
［各種データ］
ｆ              392.00
ＦＮＯ            2.89
２ω              6.28
Ｙ               21.63
ＴＬ            396.91
Ｂｆ             74.220
無限遠物体合焦時   近距離物体合焦時
ｆ又はβ         392.000            -0.173
ｄ0                 ∞            2203.010
ｄ11              18.503            33.773
ｄ16              38.179            22.909
Ｂｆ              74.220            73.906
［レンズ群データ］
群      始面         ｆ
1         1        179.1160
2        12        -67.4099
3        18        162.8784
［条件式対応値］
（第１発明）
ｆＦ ＝ 332.9301
ｆＲ ＝ -963.3744
ｆ ＝ 392.0000
ｆ１ ＝ 179.1160
ｆ１ａ ＝ 358.2095
ｆ１ｂ ＝ 190.5264
ｆ２ ＝ -67.4099
ｆ１２ ＝ 1061.9447
ｆ３ａ ＝ 131.3711
ｆ３ｂｃ ＝ -963.3744
νｄｐ ＝ 95.26(L11), 95.26(L12)
ｎｄｎ ＝ 1.53996
νｄｎ ＝ 59.52
βｓ ＝ -4.9878
βｒ ＝ -0.2361
（１−１）  ｜ｆＲ／ｆＦ｜ ＝ 2.8936
（１−２）  βｒ×（１−βｓ） ＝ -1.4135
（１−３）  ｆ３ａ／ｆ３ｂｃ ＝ -0.1364
（１−４）  ｆ１ａ／ｆ１ｂ ＝ 1.8801
（１−５）  νｄｐ ＝ 95.26(L11), 95.26(L12)
（１−６）  ｎｄｎ ＝ 1.53996
（１−７）  νｄｎ ＝ 59.52
（１−８）  ｆ１／ｆ２ ＝ -2.6571
（１−９）  ｆ／ｆ１２ ＝ 0.3691
（第２発明）
ｆ ＝ 392.0000
ｆ１ ＝ 179.1160
ｆ１ａ ＝ 358.2095
ｆ１ｂ ＝ 190.5264
ｆ２ ＝ -67.4099
ｆ１２ ＝ 1061.9447
ｆ３ａ ＝ 131.3711
ｆ３ｂｃ ＝ -963.3744
νｄｐ ＝ 95.26(L11), 95.26(L12)
ｎｄｎ ＝ 1.53996
νｄｎ ＝ 59.52
βｓ ＝ -4.9878
βｒ ＝ -0.2361
（２−１）  βｒ×（１−βｓ） ＝ -1.4135
（２−２）  ｆ３ａ／ｆ３ｂｃ ＝ -0.1364
（２−３）  ｆ１ａ／ｆ１ｂ ＝ 1.8801
（２−４）  νｄｐ ＝ 95.26(L11), 95.26(L12)
（２−５）  ｎｄｎ ＝ 1.53996
（２−６）  νｄｎ ＝ 59.52
（２−７）  ｆ１／ｆ２ ＝ -2.6571
（２−８）  ｆ／ｆ１２ ＝ 0.3691
【０１５６】
図８（ａ）、及び図８（ｂ）はそれぞれ、本願第１及び第２発明の第３実施例に係る光学系の無限遠物体合焦時、及び近距離物体合焦時の諸収差図である。
また、図９は、本願第１及び第２発明の第３実施例に係る光学系の無限遠物体合焦時にレンズシフトした際のコマ収差図である。なお、図におけるシフトレンズ群の光軸と直交する方向へのシフト量は１．４３ｍｍである。
各収差図より、本実施例に係る光学系は諸収差を良好に補正し優れた結像性能を有しており、さらにレンズシフト時にも優れた結像性能を有していることがわかる。
【０１５７】
（第１及び第２発明の第４実施例）
図１０は、本願第１及び第２発明の第４実施例に係る光学系の無限遠物体合焦時のレンズ配置を示す断面図である。
本実施例に係る光学系は、物体側から順に、正の屈折力を有する第１レンズ群Ｇ１と、負の屈折力を有する第２レンズ群Ｇ２と、正の屈折力を有する第３レンズ群Ｇ３とから構成されている。なお、第２レンズ群Ｇ２と第３レンズ群Ｇ３との間には開口絞りＳが備えられており、第３レンズ群Ｇ３と像面Ｉとの間にはフィルタＦＬが備えられている。
【０１５８】
第１レンズ群Ｇ１は、物体側から順に、正の屈折力を有する第１ａレンズ群Ｇ１ａと、正の屈折力を有する第１ｂレンズ群Ｇ１ｂとから構成されている。
第１ａレンズ群Ｇ１ａは、物体側から順に、保護フィルタガラスＦＬＧと、両凸形状の正レンズＬ１１と、両凸形状の正レンズＬ１２と、両凹形状の負レンズＬ１３とからなる。なお、保護フィルタガラスＦＬＧは、物体側に凸面を向けた負メニスカス形状をしており、実質的に屈折力を有していない。
第１ｂレンズ群Ｇ１ｂは、物体側から順に、物体側に凸面を向けた負メニスカスレンズＬ１４と物体側に凸面を向けた正メニスカスレンズＬ１５との接合レンズからなる。
【０１５９】
第２レンズ群Ｇ２は、物体側から順に、物体側に凸面を向けた負メニスカスレンズＬ２１と、物体側に凹面を向けた正メニスカスレンズＬ２２と両凹形状の負レンズＬ２３との接合負レンズとからなる。
【０１６０】
第３レンズ群Ｇ３は、物体側から順に、正の屈折力を有する第３ａレンズ群Ｇ３ａと、負の屈折力を有する第３ｂレンズ群Ｇ３ｂと、正の屈折力を有する第３ｃレンズ群Ｇ３ｃとから構成されている。
第３ａレンズ群Ｇ３ａは、物体側から順に、両凸形状の正レンズＬ３１と、物体側に凹面を向けた負メニスカスレンズＬ３２とからなる。
第３ｂレンズ群Ｇ３ｂは、物体側から順に、両凸形状の正レンズＬ３３と両凹形状の負レンズＬ３４との接合レンズと、両凹形状の負レンズＬ３５とからなる。
第３ｃレンズ群Ｇ３ｃは、物体側から順に、両凸形状の正レンズＬ３６と、両凸形状の正レンズＬ３７と両凹形状の負レンズＬ３８との接合レンズとからなる。
【０１６１】
本実施例に係る光学系は、第２レンズ群Ｇ２の負メニスカスレンズＬ２１の像面側レンズ面（面番号１３）に、後述する反射防止膜が形成されている。
【０１６２】
以上の構成の下、本実施例に係る光学系では、第２レンズ群Ｇ２を光軸に沿って像側へ移動させることにより、無限遠物体から近距離物体への合焦を行う。なお、合焦時、開口絞りＳの位置は像面Ｉに対して固定である。また、本実施例に係る光学系の近距離物体合焦時の撮影距離は２．６ｍである。
本実施例に係る光学系では、第３レンズ群Ｇ３における第３ｂレンズ群Ｇ３ｂをシフトレンズ群として光軸と直交する方向の成分を含むようにシフトさせることにより防振を行う。
以下の表４に、本実施例に係る光学系の諸元の値を掲げる。
【０１６３】
（表４）第１及び第２発明の第４実施例
[面データ]
面番号          ｒ        ｄ     ｎｄ     νｄ
物面           ∞        ∞
1        1200.3704    5.00   1.51680   63.88
2        1199.7897    1.00
3         210.9074   17.50   1.43384   95.26
4       -1135.2477   44.90
5         173.4175   18.00   1.43384   95.26
6        -413.8140    3.07
7        -375.4223    6.00   1.61266   44.46
8         358.4435   90.00
9          66.9574    4.00   1.79500   45.32
10          46.1708   15.00   1.49782   82.54
11        1030.2823    可変
12       10236.2589    2.50   1.77250   49.68
13         110.7581    3.35
14        -289.4383    3.50   1.84668   23.83
15         -96.1712    2.40   1.51680   63.88
16          65.0724    可変
17(絞りＳ)    ∞       1.50
18          86.8540    7.60   1.48749   70.43
19         -62.9408    1.20
20         -65.5511    1.90   1.84668   23.83
21        -118.4244    5.00
22         300.3217    3.50   1.84668   23.83
23        -128.4546    1.90   1.59319   67.94
24          53.9974    3.10
25        -348.7023    1.90   1.75500   52.33
26          93.3844    4.19
27         119.2828    3.50   1.77250   49.68
28        -375.3153    0.10
29          68.1234    4.50   1.64000   60.14
30        -426.6037    1.90   1.84668   23.83
31         243.3294    6.50
32            ∞       1.50   1.51680   63.88
33            ∞       Ｂｆ
像面            ∞
［各種データ］
ｆ              392.00
ＦＮＯ            2.89
２ω              6.28
Ｙ               21.63
ＴＬ            396.91
Ｂｆ             74.220
無限遠物体合焦時   近距離物体合焦時
ｆ又はβ         392.000            -0.174
ｄ0                 ∞            2203.010
ｄ11              18.503            33.773
ｄ16              38.179            22.909
Ｂｆ              74.220            74.374
［レンズ群データ］
群      始面         ｆ
1         1        179.5793
2        12        -68.1638
3        18        164.8495
［条件式対応値］
（第１発明）
ｆＦ ＝ 330.4625
ｆＲ ＝ -882.8393
ｆ ＝ 392.0002
ｆ１ ＝ 179.5793
ｆ１ａ ＝ 354.4299
ｆ１ｂ ＝ 193.6583
ｆ２ ＝ -68.1638
ｆ１２ ＝ 1047.8286
ｆ３ａ ＝ 131.2421
ｆ３ｂｃ ＝ -882.8393
νｄｐ ＝ 95.26(L11), 95.26(L12)
ｎｄｎ ＝ 1.51680
νｄｎ ＝ 63.88
βｓ ＝ -5.0707
βｒ ＝ -0.2339
（１−１）  ｜ｆＲ／ｆＦ｜ ＝ 2.6715
（１−２）  βｒ×（１−βｓ） ＝ -1.4202
（１−３）  ｆ３ａ／ｆ３ｂｃ ＝ -0.1487
（１−４）  ｆ１ａ／ｆ１ｂ ＝ 1.8302
（１−５）  νｄｐ ＝ 95.26(L11), 95.26(L12)
（１−６）  ｎｄｎ ＝ 1.51680
（１−７）  νｄｎ ＝ 63.88
（１−８）  ｆ１／ｆ２ ＝ -2.6345
（１−９）  ｆ／ｆ１２ ＝ 0.3741
（第２発明）
ｆ ＝ 392.0002
ｆ１ ＝ 179.5793
ｆ１ａ ＝ 354.4299
ｆ１ｂ ＝ 193.6583
ｆ２ ＝ -68.1638
ｆ１２ ＝ 1047.8286
ｆ３ａ ＝ 131.2421
ｆ３ｂｃ ＝ -882.8393
νｄｐ ＝ 95.26(L11), 95.26(L12)
ｎｄｎ ＝ 1.51680
νｄｎ ＝ 63.88
βｓ ＝ -5.0707
βｒ ＝ -0.2339
（２−１）  βｒ×（１−βｓ） ＝ -1.4202
（２−２）  ｆ３ａ／ｆ３ｂｃ ＝ -0.1487
（２−３）  ｆ１ａ／ｆ１ｂ ＝ 1.8302
（２−４）  νｄｐ ＝ 95.26(L11), 95.26(L12)
（２−５）  ｎｄｎ ＝ 1.51680
（２−６）  νｄｎ ＝ 63.88
（２−７）  ｆ１／ｆ２ ＝ -2.6345
（２−８）  ｆ／ｆ１２ ＝ 0.3741
【０１６４】
図１１（ａ）、及び図１１（ｂ）はそれぞれ、本願第１及び第２発明の第４実施例に係る光学系の無限遠物体合焦時、及び近距離物体合焦時の諸収差図である。
また、図１２は、本願第１及び第２発明の第４実施例に係る光学系の無限遠物体合焦時にレンズシフトした際のコマ収差図である。なお、図１２におけるシフトレンズ群の光軸と直交する方向へのシフト量は１．４３ｍｍである。
各収差図より、本実施例に係る光学系は諸収差を良好に補正し優れた結像性能を有しており、さらにレンズシフト時にも優れた結像性能を有していることがわかる。
【０１６５】
（第１及び第２発明の第５実施例）
図１３は、本願第１及び第２発明の第５実施例に係る光学系の無限遠物体合焦時のレンズ配置を示す断面図である。
本実施例に係る光学系は、物体側から順に、正の屈折力を有する第１レンズ群Ｇ１と、負の屈折力を有する第２レンズ群Ｇ２と、正の屈折力を有する第３レンズ群Ｇ３とから構成されている。なお、第２レンズ群Ｇ２と第３レンズ群Ｇ３との間には開口絞りＳが備えられており、第３レンズ群Ｇ３と像面Ｉとの間にはフィルタＦＬが備えられている。
【０１６６】
第１レンズ群Ｇ１は、物体側から順に、正の屈折力を有する第１ａレンズ群Ｇ１ａと、正の屈折力を有する第１ｂレンズ群Ｇ１ｂとから構成されている。
第１ａレンズ群Ｇ１ａは、物体側から順に、保護フィルタガラスＦＬＧと、両凸形状の正レンズＬ１１と、両凸形状の正レンズＬ１２と、両凹形状の負レンズＬ１３とからなる。なお、保護フィルタガラスＦＬＧは、物体側に凸面を向けた負メニスカス形状をしており、実質的に屈折力を有していない。
第１ｂレンズ群Ｇ１ｂは、物体側から順に、物体側に凸面を向けた負メニスカスレンズＬ１４と物体側に凸面を向けた正メニスカスレンズＬ１５との接合レンズからなる。
【０１６７】
第２レンズ群Ｇ２は、物体側から順に、両凹形状の負レンズＬ２１と、物体側に凹面を向けた正メニスカスレンズＬ２２と両凹形状の負レンズＬ２３との接合負レンズとからなる。
【０１６８】
第３レンズ群Ｇ３は、物体側から順に、正の屈折力を有する第３ａレンズ群Ｇ３ａと、負の屈折力を有する第３ｂレンズ群Ｇ３ｂと、正の屈折力を有する第３ｃレンズ群Ｇ３ｃとから構成されている。
第３ａレンズ群Ｇ３ａは、物体側から順に、両凸形状の正レンズＬ３１と、物体側に凹面を向けた負メニスカスレンズＬ３２とからなる。
第３ｂレンズ群Ｇ３ｂは、物体側から順に、両凸形状の正レンズＬ３３と両凹形状の負レンズＬ３４との接合レンズと、両凹形状の負レンズＬ３５とからなる。
第３ｃレンズ群Ｇ３ｃは、物体側から順に、両凸形状の正レンズＬ３６と、両凸形状の正レンズＬ３７と両凹形状の負レンズＬ３８との接合レンズとからなる。
【０１６９】
本実施例に係る光学系は、第１レンズ群Ｇ１の両凸形状の正レンズＬ１２の像面側レンズ面（面番号６）と、第１レンズ群Ｇ１の両凹形状の負レンズＬ１３の物体側レンズ面（面番号７）に、後述する反射防止膜が形成されている。
【０１７０】
以上の構成の下、本実施例に係る光学系では、第２レンズ群Ｇ２を光軸に沿って像側へ移動させることにより、無限遠物体から近距離物体への合焦を行う。なお、合焦時、開口絞りＳの位置は像面Ｉに対して固定である。また、本実施例に係る光学系の近距離物体合焦時の撮影距離は２．６ｍである。
本実施例に係る光学系では、第３レンズ群Ｇ３における第３ｂレンズ群Ｇ３ｂをシフトレンズ群として光軸と直交する方向の成分を含むようにシフトさせることにより防振を行う。
以下の表５に、本実施例に係る光学系の諸元の値を掲げる。
【０１７１】
（表５）第１及び第２発明の第５実施例
[面データ]
面番号          ｒ        ｄ     ｎｄ     νｄ
物面           ∞        ∞
1        1200.3704    5.00   1.51680   63.88
2        1199.7897    1.00
3         237.4785   15.50   1.43385   95.25
4       -1507.8850   45.00
5         198.3323   19.00   1.43385   95.25
6        -342.1796    3.00
7        -327.8324    6.00   1.61266   44.46
8         772.9939   93.00
9          70.7391    5.40   1.79952   42.09
10          47.9832   16.00   1.49782   82.57
11        1681.9346    可変
12       -2709.1390    3.00   1.77250   49.62
13         136.3998    3.50
14        -487.1729    4.00   1.84666   23.80
15        -108.0510    2.50   1.51742   52.20
16          59.4298    可変
17(絞りＳ)    ∞       2.00
18         228.1074    5.25   1.59319   67.90
19         -85.4981    0.60
20        -124.4314    1.90   2.00069   25.46
21        -295.5719    3.85
22         294.4912    3.30   1.84666   23.80
23        -171.7558    1.90   1.59319   67.90
24          54.4393    4.05
25        -281.8305    1.90   1.69680   55.52
26         152.6451    2.94
27         104.2002    3.00   1.77250   49.62
28       -1538.2155    0.10
29          71.9218    4.80   1.57957   53.74
30        -155.3605    1.90   1.84666   23.80
31        1092.5548   11.00
32            ∞       2.00   1.51680   63.88
33            ∞       Ｂｆ
像面            ∞
［各種データ］
ｆ              391.99
ＦＮＯ            2.88
２ω              6.27
Ｙ               21.60
ＴＬ            399.38
Ｂｆ             70.081
無限遠物体合焦時   近距離物体合焦時
ｆ又はβ         391.990            -0.172
ｄ0                 ∞            2203.007
ｄ11              16.500            31.900
ｄ16              40.401            25.001
Ｂｆ              70.081            70.033
［レンズ群データ］
群      始面         ｆ
1         1        177.7760
2        12        -73.1720
3        18        187.9179
［条件式対応値］
（第１発明）
ｆＦ ＝ 393.5513
ｆＲ ＝ 1215.0131
ｆ ＝ 391.9899
ｆ１ ＝ 177.7760
ｆ１ａ ＝ 340.8186
ｆ１ｂ ＝ 201.6693
ｆ２ ＝ -73.1720
ｆ１２ ＝ 774.8291
ｆ３ａ ＝ 204.7509
ｆ３ｂｃ ＝ 1215.0131
νｄｐ ＝ 95.25(L11), 95.25(L12)
ｎｄｎ ＝ 1.51742
νｄｎ ＝ 52.20
βｓ ＝ -5.2108
βｒ ＝ -0.1912
（１−１）  ｜ｆＲ／ｆＦ｜ ＝ 3.0873
（１−２）  βｒ×（１−βｓ） ＝ -1.1872
（１−３）  ｆ３ａ／ｆ３ｂｃ ＝ 0.1685
（１−４）  ｆ１ａ／ｆ１ｂ ＝ 1.6900
（１−５）  νｄｐ ＝ 95.25(L11), 95.25(L12)
（１−６）  ｎｄｎ ＝ 1.51742
（１−７）  νｄｎ ＝ 52.20
（１−８）  ｆ１／ｆ２ ＝ -2.4296
（１−９）  ｆ／ｆ１２ ＝ 0.5059
（第２発明）
ｆ ＝ 391.9899
ｆ１ ＝ 177.7760
ｆ１ａ ＝ 340.8186
ｆ１ｂ ＝ 201.6693
ｆ２ ＝ -73.1720
ｆ１２ ＝ 774.8291
ｆ３ａ ＝ 204.7509
ｆ３ｂｃ ＝ 1215.0131
νｄｐ ＝ 95.25(L11), 95.25(L12)
ｎｄｎ ＝ 1.51742
νｄｎ ＝ 52.20
βｓ ＝ -5.2108
βｒ ＝ -0.1912
（２−１）  βｒ×（１−βｓ） ＝ -1.1872
（２−２）  ｆ３ａ／ｆ３ｂｃ ＝ 0.1685
（２−３）  ｆ１ａ／ｆ１ｂ ＝ 1.6900
（２−４）  νｄｐ ＝ 95.25(L11), 95.25(L12)
（２−５）  ｎｄｎ ＝ 1.51742
（２−６）  νｄｎ ＝ 52.20
（２−７）  ｆ１／ｆ２ ＝ -2.4296
（２−８）  ｆ／ｆ１２ ＝ 0.5059
【０１７２】
図１４（ａ）、及び図１４（ｂ）はそれぞれ、本願第１及び第２発明の第５実施例に係る光学系の無限遠物体合焦時、及び近距離物体合焦時の諸収差図である。
また、図１５は、本願第１及び第２発明の第５実施例に係る光学系の無限遠物体合焦時にレンズシフトした際のコマ収差図である。なお、図１５におけるシフトレンズ群の光軸と直交する方向へのシフト量は１．６８ｍｍである。
各収差図より、本実施例に係る光学系は諸収差を良好に補正し優れた結像性能を有しており、さらにレンズシフト時にも優れた結像性能を有していることがわかる。
【０１７３】
（第１及び第２発明の第６実施例）
図１６は、本願第１及び第２発明の第６実施例に係る光学系の無限遠物体合焦時のレンズ配置を示す断面図である。
本実施例に係る光学系は、物体側から順に、正の屈折力を有する第１レンズ群Ｇ１と、負の屈折力を有する第２レンズ群Ｇ２と、正の屈折力を有する第３レンズ群Ｇ３とから構成されている。なお、第２レンズ群Ｇ２と第３レンズ群Ｇ３との間には開口絞りＳが備えられており、第３レンズ群Ｇ３と像面Ｉとの間にはフィルタＦＬが備えられている。
【０１７４】
第１レンズ群Ｇ１は、物体側から順に、正の屈折力を有する第１ａレンズ群Ｇ１ａと、正の屈折力を有する第１ｂレンズ群Ｇ１ｂとから構成されている。
第１ａレンズ群Ｇ１ａは、物体側から順に、保護フィルタガラスＦＬＧと、両凸形状の正レンズＬ１１と、両凸形状の正レンズＬ１２と、両凹形状の負レンズＬ１３とからなる。なお、保護フィルタガラスＦＬＧは、物体側に凸面を向けた負メニスカス形状をしており、実質的に屈折力を有していない。
第１ｂレンズ群Ｇ１ｂは、物体側から順に、物体側に凸面を向けた負メニスカスレンズＬ１４と物体側に凸面を向けた正メニスカスレンズＬ１５との接合レンズからなる。
【０１７５】
第２レンズ群Ｇ２は、物体側から順に、物体側に凸面を向けた負メニスカスレンズＬ２１と、物体側に凹面を向けた正メニスカスレンズＬ２２と物体側に凹面を向けた負メニスカスレンズＬ２３との接合負レンズとからなる。
【０１７６】
第３レンズ群Ｇ３は、物体側から順に、正の屈折力を有する第３ａレンズ群Ｇ３ａと、負の屈折力を有する第３ｂレンズ群Ｇ３ｂと、正の屈折力を有する第３ｃレンズ群Ｇ３ｃとから構成されている。
第３ａレンズ群Ｇ３ａは、物体側から順に、両凸形状の正レンズＬ３１と、物体側に凹面を向けた負メニスカスレンズＬ３２とからなる。
第３ｂレンズ群Ｇ３ｂは、物体側から順に、物体側に凹面を向けた正メニスカスレンズＬ３３と両凹形状の負レンズＬ３４との接合レンズと、物体側に凸面を向けた負メニスカスレンズＬ３５とからなる。
第３ｃレンズ群Ｇ３ｃは、物体側から順に、両凸形状の正レンズＬ３６と、両凸形状の正レンズＬ３７と両凹形状の負レンズＬ３８との接合レンズとからなる。
【０１７７】
本実施例に係る光学系は、第２レンズ群Ｇ２の正メニスカスレンズＬ２２の物体側レンズ面（面番号１４）に、後述する反射防止膜が形成されている。
【０１７８】
以上の構成の下、本実施例に係る光学系では、第２レンズ群Ｇ２を光軸に沿って像側へ移動させることにより、無限遠物体から近距離物体への合焦を行う。なお、合焦時、開口絞りＳの位置は像面Ｉに対して固定である。また、本実施例に係る光学系の近距離物体合焦時の撮影距離は２．６ｍである。
本実施例に係る光学系では、第３レンズ群Ｇ３における第３ｂレンズ群Ｇ３ｂをシフトレンズ群として光軸と直交する方向の成分を含むようにシフトさせることにより防振を行う。
以下の表６に、本実施例に係る光学系の諸元の値を掲げる。
【０１７９】
（表６）第１及び第２発明の第６実施例
[面データ]
面番号          ｒ        ｄ     ｎｄ     νｄ
物面           ∞        ∞
1        1200.3704    5.00   1.51680   63.88
2        1199.7897    1.50
3         217.9147   15.50   1.43385   95.25
4       -2272.2650   45.00
5         191.4672   18.50   1.43385   95.25
6        -388.7337    3.24
7        -366.9736    6.00   1.61266   44.46
8         692.0557   90.02
9          65.4296    5.20   1.80610   40.97
10          45.0727   15.00   1.49782   82.57
11         760.0090    可変
12        2386.5723    2.50   1.81600   46.59
13          64.7944    6.50
14        -159.3202    4.50   1.80809   22.74
15         -67.3666    2.00   1.61772   49.81
16       -4529.1486    可変
17(絞りＳ)    ∞       2.00
18         128.3829    8.00   1.59319   67.90
19         -58.5025    0.60
20         -58.7397    1.90   1.79504   28.69
21        -122.7539    5.79
22        -216.6393    3.30   1.84666   23.80
23         -61.9303    1.90   1.59319   67.90
24          59.0225    3.00
25         728.9238    1.90   1.81600   46.59
26          93.0674    4.00
27         141.2086    3.00   1.77250   49.62
28       -1505.6719    0.15
29          69.4894    4.80   1.74320   49.26
30        -136.7089    1.90   1.84666   23.80
31         672.4408    9.00
32            ∞       2.00   1.51680   63.88
33            ∞       Ｂｆ
像面            ∞
［各種データ］
ｆ              392.00
ＦＮＯ            2.88
２ω              6.27
Ｙ               21.60
ＴＬ            400.00
Ｂｆ             71.300
無限遠物体合焦時   近距離物体合焦時
ｆ又はβ         392.000            -0.173
ｄ0                 ∞            2200.000
ｄ11              17.463            31.763
ｄ16              37.536            23.236
Ｂｆ              71.300            71.260
［レンズ群データ］
群      始面         ｆ
1         1        172.5113
2        12        -69.4949
3        18        175.8293
［条件式対応値］
（第１発明）
ｆＦ ＝ 315.0175
ｆＲ ＝ -754.0300
ｆ ＝ 391.9996
ｆ１ ＝ 172.5113
ｆ１ａ ＝ 329.5860
ｆ１ｂ ＝ 194.9749
ｆ２ ＝ -69.4949
ｆ１２ ＝ 859.4613
ｆ３ａ ＝ 130.1736
ｆ３ｂｃ ＝ -754.0300
νｄｐ ＝ 95.25(L11), 95.25(L12)
ｎｄｎ ＝ 1.61772
νｄｎ ＝ 49.81
βｓ ＝ -4.6014
βｒ ＝ -0.2704
（１−１）  ｜ｆＲ／ｆＦ｜ ＝ 2.3936
（１−２）  βｒ×（１−βｓ） ＝ -1.5148
（１−３）  ｆ３ａ／ｆ３ｂｃ ＝ -0.1726
（１−４）  ｆ１ａ／ｆ１ｂ ＝ 1.6904
（１−５）  νｄｐ ＝ 95.25(L11), 95.25(L12)
（１−６）  ｎｄｎ ＝ 1.61772
（１−７）  νｄｎ ＝ 49.81
（１−８）  ｆ１／ｆ２ ＝ -2.4824
（１−９）  ｆ／ｆ１２ ＝ 0.4561
（第２発明）
ｆ ＝ 391.9996
ｆ１ ＝ 172.5113
ｆ１ａ ＝ 329.5860
ｆ１ｂ ＝ 194.9749
ｆ２ ＝ -69.4949
ｆ１２ ＝ 859.4613
ｆ３ａ ＝ 130.1736
ｆ３ｂｃ ＝ -754.0300
νｄｐ ＝ 95.25(L11), 95.25(L12)
ｎｄｎ ＝ 1.61772
νｄｎ ＝ 49.81
βｓ ＝ -4.6014
βｒ ＝ -0.2704
（２−１）  βｒ×（１−βｓ） ＝ -1.5148
（２−２）  ｆ３ａ／ｆ３ｂｃ ＝ -0.1726
（２−３）  ｆ１ａ／ｆ１ｂ ＝ 1.6904
（２−４）  νｄｐ ＝ 95.25(L11), 95.25(L12)
（２−５）  ｎｄｎ ＝ 1.61772
（２−６）  νｄｎ ＝ 49.81
（２−７）  ｆ１／ｆ２ ＝ -2.4824
（２−８）  ｆ／ｆ１２ ＝ 0.4561
【０１８０】
図１７（ａ）、及び図１７（ｂ）はそれぞれ、本願第１及び第２発明の第６実施例に係る光学系の無限遠物体合焦時、及び近距離物体合焦時の諸収差図である。
また、図１８は、本願第１及び第２発明の第６実施例に係る光学系の無限遠物体合焦時にレンズシフトした際のコマ収差図である。なお、図１８におけるシフトレンズ群の光軸と直交する方向へのシフト量は１．３５ｍｍである。
各収差図より、本実施例に係る光学系は諸収差を良好に補正し優れた結像性能を有しており、さらにレンズシフト時にも優れた結像性能を有していることがわかる。
【０１８１】
（第１及び第２発明の第７実施例）
図１９は、本願第１及び第２発明の第７実施例に係る光学系の無限遠物体合焦時のレンズ配置を示す断面図である。
本実施例に係る光学系は、物体側から順に、正の屈折力を有する第１レンズ群Ｇ１と、負の屈折力を有する第２レンズ群Ｇ２と、正の屈折力を有する第３レンズ群Ｇ３とから構成されている。なお、第２レンズ群Ｇ２と第３レンズ群Ｇ３との間には開口絞りＳが備えられており、第３レンズ群Ｇ３と像面Ｉとの間にはフィルタＦＬが備えられている。
【０１８２】
第１レンズ群Ｇ１は、物体側から順に、正の屈折力を有する第１ａレンズ群Ｇ１ａと、正の屈折力を有する第１ｂレンズ群Ｇ１ｂとから構成されている。
第１ａレンズ群Ｇ１ａは、物体側から順に、保護フィルタガラスＦＬＧと、両凸形状の正レンズＬ１１と、両凸形状の正レンズＬ１２と、両凹形状の負レンズＬ１３とからなる。なお、保護フィルタガラスＦＬＧは、物体側に凸面を向けた負メニスカス形状をしており、実質的に屈折力を有していない。
第１ｂレンズ群Ｇ１ｂは、物体側から順に、物体側に凸面を向けた負メニスカスレンズＬ１４と物体側に凸面を向けた正メニスカスレンズＬ１５との接合レンズからなる。
【０１８３】
第２レンズ群Ｇ２は、物体側から順に、両凹形状の負レンズＬ２１と、物体側に凹面を向けた正メニスカスレンズＬ２２と両凹形状の負レンズＬ２３との接合負レンズとからなる。
【０１８４】
第３レンズ群Ｇ３は、物体側から順に、正の屈折力を有する第３ａレンズ群Ｇ３ａと、負の屈折力を有する第３ｂレンズ群Ｇ３ｂと、正の屈折力を有する第３ｃレンズ群Ｇ３ｃとから構成されている。
第３ａレンズ群Ｇ３ａは、物体側から順に、両凸形状の正レンズＬ３１と、物体側に凹面を向けた負メニスカスレンズＬ３２とからなる。
第３ｂレンズ群Ｇ３ｂは、物体側から順に、物体側に凹面を向けた正メニスカスレンズＬ３３と両凹形状の負レンズＬ３４との接合レンズと、物体側に凸面を向けた負メニスカスレンズＬ３５とからなる。
第３ｃレンズ群Ｇ３ｃは、物体側から順に、両凸形状の正レンズＬ３６と、両凸形状の正レンズＬ３７と両凹形状の負レンズＬ３８との接合レンズとからなる。
【０１８５】
本実施例に係る光学系は、第３レンズ群Ｇ３の両凹形状の負レンズＬ３４の像面側レンズ面（面番号２４）と、第３レンズ群Ｇ３の両凸形状の正レンズＬ３６の物体側レンズ面（面番号２７）に、後述する反射防止膜が形成されている。
【０１８６】
以上の構成の下、本実施例に係る光学系では、第２レンズ群Ｇ２を光軸に沿って像側へ移動させることにより、無限遠物体から近距離物体への合焦を行う。なお、合焦時、開口絞りＳの位置は像面Ｉに対して固定である。また、本実施例に係る光学系の近距離物体合焦時の撮影距離は２．６ｍである。
本実施例に係る光学系では、第３レンズ群Ｇ３における第３ｂレンズ群Ｇ３ｂをシフトレンズ群として光軸と直交する方向の成分を含むようにシフトさせることにより防振を行う。
以下の表７に、本実施例に係る光学系の諸元の値を掲げる。
【０１８７】
（表７）第１及び第２発明の第７実施例
[面データ]
面番号          ｒ        ｄ     ｎｄ     νｄ
物面           ∞        ∞
1        1200.3704    5.00   1.51680   63.88
2        1199.7897    1.00
3         205.8380   17.50   1.43385   95.25
4       -3344.1817   45.00
5         195.7037   18.50   1.43385   95.25
6        -339.8777    3.00
7        -326.8303    6.00   1.61266   44.46
8         717.5240   90.00
9          66.8199    5.00   1.79952   42.09
10          45.8756   14.00   1.49782   82.57
11         533.8513    可変
12       -1418.6433    2.50   1.80100   34.92
13          69.1598    5.00
14        -669.4067    4.50   1.84666   23.80
15         -70.8153    2.00   1.69680   55.52
16         269.4654    可変
17(絞りＳ)    ∞       2.00
18         111.8330    8.00   1.59319   67.90
19         -67.7933    0.60
20         -69.4674    1.90   1.79504   28.69
21        -144.5287    7.60
22        -307.1811    3.30   1.84666   23.80
23         -70.7922    1.90   1.59319   67.90
24          58.1065    3.00
25        2403.0294    1.90   1.75500   52.34
26          93.8065    4.00
27         118.1336    3.00   1.77250   49.62
28        -440.5940    0.10
29          66.8592    4.80   1.77250   49.62
30        -269.8337    1.90   1.84666   23.80
31         146.9087    9.00
32            ∞       2.00   1.51680   63.88
33            ∞       Ｂｆ
像面            ∞
［各種データ］
ｆ              392.00
ＦＮＯ            2.93
２ω              6.27
Ｙ               21.60
ＴＬ            400.89
Ｂｆ             71.811
無限遠物体合焦時   近距離物体合焦時
ｆ又はβ         391.998            -0.174
ｄ0                 ∞            2203.000
ｄ11              17.408            32.808
ｄ16              37.666            22.266
Ｂｆ              71.811            71.696
［レンズ群データ］
群      始面         ｆ
1         1        179.2995
2        12        -71.1930
3        18        172.8661
［条件式対応値］
（第１発明）
ｆＦ ＝ 309.4988
ｆＲ ＝ -531.9883
ｆ ＝ 391.9977
ｆ１ ＝ 179.2995
ｆ１ａ ＝ 329.8985
ｆ１ｂ ＝ 210.3126
ｆ２ ＝ -71.1930
ｆ１２ ＝ 993.1645
ｆ３ａ ＝ 123.9352
ｆ３ｂｃ ＝ -531.9883
νｄｐ ＝ 95.25(L11), 95.25(L12)
ｎｄｎ ＝ 1.69680
νｄｎ ＝ 55.52
βｓ ＝ -5.1022
βｒ ＝ -0.2482
（１−１）  ｜ｆＲ／ｆＦ｜ ＝ 1.7189
（１−２）  βｒ×（１−βｓ） ＝ -1.5148
（１−３）  ｆ３ａ／ｆ３ｂｃ ＝ -0.2330
（１−４）  ｆ１ａ／ｆ１ｂ ＝ 1.5686
（１−５）  νｄｐ ＝ 95.25(L11), 95.25(L12)
（１−６）  ｎｄｎ ＝ 1.69680
（１−７）  νｄｎ ＝ 55.52
（１−８）  ｆ１／ｆ２ ＝ -2.5185
（１−９）  ｆ／ｆ１２ ＝ 0.3947
（第２発明）
ｆ ＝ 391.9977
ｆ１ ＝ 179.2995
ｆ１ａ ＝ 329.8985
ｆ１ｂ ＝ 210.3126
ｆ２ ＝ -71.1930
ｆ１２ ＝ 993.1645
ｆ３ａ ＝ 123.9352
ｆ３ｂｃ ＝ -531.9883
νｄｐ ＝ 95.25(L11), 95.25(L12)
ｎｄｎ ＝ 1.69680
νｄｎ ＝ 55.52
βｓ ＝ -5.1022
βｒ ＝ -0.2482
（２−１）  βｒ×（１−βｓ） ＝ -1.5148
（２−２）  ｆ３ａ／ｆ３ｂｃ ＝ -0.2330
（２−３）  ｆ１ａ／ｆ１ｂ ＝ 1.5686
（２−４）  νｄｐ ＝ 95.25(L11), 95.25(L12)
（２−５）  ｎｄｎ ＝ 1.69680
（２−６）  νｄｎ ＝ 55.52
（２−７）  ｆ１／ｆ２ ＝ -2.5185
（２−８）  ｆ／ｆ１２ ＝ 0.3947
【０１８８】
図２０（ａ）、及び図２０（ｂ）はそれぞれ、本願第１及び第２発明の第７実施例に係る光学系の無限遠物体合焦時、及び近距離物体合焦時の諸収差図である。
また、図２１は、本願第１及び第２発明の第７実施例に係る光学系の無限遠物体合焦時にレンズシフトした際のコマ収差図である。なお、図２１におけるシフトレンズ群の光軸と直交する方向へのシフト量は１．３５ｍｍである。
各収差図より、本実施例に係る光学系は諸収差を良好に補正し優れた結像性能を有しており、さらにレンズシフト時にも優れた結像性能を有していることがわかる。
【０１８９】
（第１及び第２発明の第８実施例）
図２２は、本願第１及び第２発明の第８実施例に係る光学系の無限遠物体合焦時のレンズ配置を示す断面図である。
本実施例に係る光学系は、物体側から順に、正の屈折力を有する第１レンズ群Ｇ１と、負の屈折力を有する第２レンズ群Ｇ２と、正の屈折力を有する第３レンズ群Ｇ３とから構成されている。なお、第２レンズ群Ｇ２と第３レンズ群Ｇ３との間には開口絞りＳが備えられており、第３レンズ群Ｇ３と像面Ｉとの間にはフィルタＦＬが備えられている。
【０１９０】
第１レンズ群Ｇ１は、物体側から順に、正の屈折力を有する第１ａレンズ群Ｇ１ａと、正の屈折力を有する第１ｂレンズ群Ｇ１ｂとから構成されている。
第１ａレンズ群Ｇ１ａは、物体側から順に、保護フィルタガラスＦＬＧと、両凸形状の正レンズＬ１１と、両凸形状の正レンズＬ１２と、両凹形状の負レンズＬ１３とからなる。なお、保護フィルタガラスＦＬＧは、物体側に凸面を向けた負メニスカス形状をしており、実質的に屈折力を有していない。
第１ｂレンズ群Ｇ１ｂは、物体側から順に、物体側に凸面を向けた負メニスカスレンズＬ１４と物体側に凸面を向けた正メニスカスレンズＬ１５との接合レンズからなる。
【０１９１】
第２レンズ群Ｇ２は、物体側から順に、両凹形状の負レンズＬ２１と、物体側に凹面を向けた正メニスカスレンズＬ２２と両凹形状の負レンズＬ２３との接合負レンズとからなる。
【０１９２】
第３レンズ群Ｇ３は、物体側から順に、正の屈折力を有する第３ａレンズ群Ｇ３ａと、負の屈折力を有する第３ｂレンズ群Ｇ３ｂと、正の屈折力を有する第３ｃレンズ群Ｇ３ｃとから構成されている。
第３ａレンズ群Ｇ３ａは、物体側から順に、両凸形状の正レンズＬ３１と、物体側に凹面を向けた負メニスカスレンズＬ３２とからなる。
第３ｂレンズ群Ｇ３ｂは、物体側から順に、物体側に凹面を向けた正メニスカスレンズＬ３３と両凹形状の負レンズＬ３４との接合レンズと、両凹形状の負レンズＬ３５とからなる。
第３ｃレンズ群Ｇ３ｃは、物体側から順に、両凸形状の正レンズＬ３６と、両凸形状の正レンズＬ３７と両凹形状の負レンズＬ３８との接合レンズとからなる。
【０１９３】
本実施例に係る光学系は、第１レンズ群Ｇ１の両凸形状の正レンズＬ１２の像面側レンズ面（面番号６）と、第１レンズ群Ｇ１の両凹形状の負レンズＬ１３の物体側レンズ面（面番号７）に、後述する反射防止膜が形成されている。
【０１９４】
以上の構成の下、本実施例に係る光学系では、第２レンズ群Ｇ２を光軸に沿って像側へ移動させることにより、無限遠物体から近距離物体への合焦を行う。なお、合焦時、開口絞りＳの位置は像面Ｉに対して固定である。また、本実施例に係る光学系の近距離物体合焦時の撮影距離は２．６ｍである。
本実施例に係る光学系では、第３レンズ群Ｇ３における第３ｂレンズ群Ｇ３ｂをシフトレンズ群として光軸と直交する方向の成分を含むようにシフトさせることにより防振を行う。
以下の表８に、本実施例に係る光学系の諸元の値を掲げる。
【０１９５】
（表８）第１及び第２発明の第８実施例
[面データ]
面番号          ｒ        ｄ     ｎｄ     νｄ
物面           ∞        ∞
1        1200.3704    5.00   1.51680   63.88
2        1199.7897    1.50
3         232.9803   15.50   1.43385   95.25
4       -1439.6122   45.00
5         181.4353   18.50   1.43385   95.25
6        -403.8411    3.27
7        -381.3927    6.00   1.61266   44.46
8         616.0014   91.44
9          68.9182    5.40   1.80610   40.97
10          47.0662   15.50   1.49782   82.57
11         783.4341    可変
12       -1054.8550    2.50   1.80100   34.92
13          73.2883    5.00
14       -1414.1001    4.50   1.84666   23.80
15         -76.6008    2.00   1.69100   54.93
16         209.5153    可変
17(絞りＳ)    ∞       2.00
18         158.0460    8.00   1.59319   67.90
19         -62.8829    0.60
20         -64.4824    1.90   1.79504   28.69
21        -131.7441    7.60
22        -544.1422    3.30   1.84666   23.80
23         -78.4731    1.90   1.59319   67.90
24          60.2986    4.15
25       -1406.4760    1.90   1.75500   52.34
26          91.4315    4.00
27          97.5172    3.00   1.77250   49.62
28        -457.9700    0.50
29          73.3485    4.80   1.74400   44.81
30        -160.3113    1.90   1.84666   23.80
31         190.4630    9.00
32            ∞       2.00   1.51680   63.88
33            ∞       Ｂｆ
像面            ∞
［各種データ］
ｆ              392.00
ＦＮＯ            2.88
２ω              6.28
Ｙ               21.63
ＴＬ            400.00
Ｂｆ             71.30
無限遠物体合焦時   近距離物体合焦時
ｆ又はβ         392.000            -0.173
ｄ0                 ∞            2200.000
ｄ11              15.740            31.040
ｄ16              35.300            20.000
Ｂｆ              71.300            71.300
［レンズ群データ］
群      始面         ｆ
1         1        177.9658
2        12        -72.7082
3        18        181.1444
［条件式対応値］
（第１発明）
ｆＦ ＝ 332.3433
ｆＲ ＝ -1237.2508
ｆ ＝ 392.0000
ｆ１ ＝ 177.9658
ｆ１ａ ＝ 326.9111
ｆ１ｂ ＝ 208.4317
ｆ２ ＝ -72.7082
ｆ１２ ＝ 870.7966
ｆ３ａ ＝ 145.4495
ｆ３ｂｃ ＝ -1237.2508
νｄｐ ＝ 95.25(L11), 95.25(L12)
ｎｄｎ ＝ 1.69100
νｄｎ ＝ 54.93
βｓ ＝ -3.8225
βｒ ＝ -0.3086
（１−１）  ｜ｆＲ／ｆＦ｜ ＝ 3.7228
（１−２）  βｒ×（１−βｓ） ＝ -1.4881
（１−３）  ｆ３ａ／ｆ３ｂｃ ＝ -0.1176
（１−４）  ｆ１ａ／ｆ１ｂ ＝ 1.5684
（１−５）  νｄｐ ＝ 95.25(L11), 95.25(L12)
（１−６）  ｎｄｎ ＝ 1.69100
（１−７）  νｄｎ ＝ 54.93
（１−８）  ｆ１／ｆ２ ＝ -2.4477
（１−９）  ｆ／ｆ１２ ＝ 0.4502
（第２発明）
ｆ ＝ 392.0000
ｆ１ ＝ 177.9658
ｆ１ａ ＝ 326.9111
ｆ１ｂ ＝ 208.4317
ｆ２ ＝ -72.7082
ｆ１２ ＝ 870.7966
ｆ３ａ ＝ 145.4495
ｆ３ｂｃ ＝ -1237.2508
νｄｐ ＝ 95.25(L11), 95.25(L12)
ｎｄｎ ＝ 1.69100
νｄｎ ＝ 54.93
βｓ ＝ -3.8225
βｒ ＝ -0.3086
（２−１）  βｒ×（１−βｓ） ＝ -1.4881
（２−２）  ｆ３ａ／ｆ３ｂｃ ＝ -0.1176
（２−３）  ｆ１ａ／ｆ１ｂ ＝ 1.5684
（２−４）  νｄｐ ＝ 95.25(L11), 95.25(L12)
（２−５）  ｎｄｎ ＝ 1.69100
（２−６）  νｄｎ ＝ 54.93
（２−７）  ｆ１／ｆ２ ＝ -2.4477
（２−８）  ｆ／ｆ１２ ＝ 0.4502
【０１９６】
図２３（ａ）、及び図２３（ｂ）はそれぞれ、本願第１及び第２発明の第８実施例に係る光学系の無限遠物体合焦時、及び近距離物体合焦時の諸収差図である。
また、図２４は、本願第１及び第２発明の第８実施例に係る光学系の無限遠物体合焦時にレンズシフトした際のコマ収差図である。なお、図２４におけるシフトレンズ群の光軸と直交する方向へのシフト量は１．３５ｍｍである。
各収差図より、本実施例に係る光学系は諸収差を良好に補正し優れた結像性能を有しており、さらにレンズシフト時にも優れた結像性能を有していることがわかる。
【０１９７】
（第１及び第２発明の第９実施例）
図２５は、本願第１及び第２発明の第９実施例に係る光学系の無限遠物体合焦時のレンズ配置を示す断面図である。
本実施例に係る光学系は、物体側から順に、正の屈折力を有する第１レンズ群Ｇ１と、負の屈折力を有する第２レンズ群Ｇ２と、正の屈折力を有する第３レンズ群Ｇ３とから構成されている。なお、第２レンズ群Ｇ２と第３レンズ群Ｇ３との間には開口絞りＳが備えられており、第３レンズ群Ｇ３と像面Ｉとの間にはフィルタＦＬが備えられている。
【０１９８】
第１レンズ群Ｇ１は、物体側から順に、正の屈折力を有する第１ａレンズ群Ｇ１ａと、正の屈折力を有する第１ｂレンズ群Ｇ１ｂとから構成されている。
第１ａレンズ群Ｇ１ａは、物体側から順に、保護フィルタガラスＦＬＧと、両凸形状の正レンズＬ１１と、両凸形状の正レンズＬ１２と、両凹形状の負レンズＬ１３とからなる。なお、保護フィルタガラスＦＬＧは、物体側に凸面を向けた負メニスカス形状をしており、実質的に屈折力を有していない。
第１ｂレンズ群Ｇ１ｂは、物体側から順に、物体側に凸面を向けた負メニスカスレンズＬ１４と物体側に凸面を向けた正メニスカスレンズＬ１５との接合レンズからなる。
【０１９９】
第２レンズ群Ｇ２は、物体側から順に、両凹形状の負レンズＬ２１と、物体側に凹面を向けた正メニスカスレンズＬ２２と両凹形状の負レンズＬ２３との接合負レンズとからなる。
【０２００】
第３レンズ群Ｇ３は、物体側から順に、正の屈折力を有する第３ａレンズ群Ｇ３ａと、負の屈折力を有する第３ｂレンズ群Ｇ３ｂと、正の屈折力を有する第３ｃレンズ群Ｇ３ｃとから構成されている。
第３ａレンズ群Ｇ３ａは、物体側から順に、両凸形状の正レンズＬ３１と、物体側に凹面を向けた負メニスカスレンズＬ３２とからなる。
第３ｂレンズ群Ｇ３ｂは、物体側から順に、物体側に凹面を向けた正メニスカスレンズＬ３３と両凹形状の負レンズＬ３４との接合レンズと、物体側に凸面を向けた負メニスカスレンズＬ３５とからなる。
第３ｃレンズ群Ｇ３ｃは、物体側から順に、両凸形状の正レンズＬ３６と、両凸形状の正レンズＬ３７と物体側に凹面を向けた負メニスカスレンズＬ３８との接合レンズとからなる。
【０２０１】
本実施例に係る光学系は、第２レンズ群Ｇ２の正メニスカスレンズＬ２２の物体側レンズ面（面番号１４）に、後述する反射防止膜が形成されている。
【０２０２】
以上の構成の下、本実施例に係る光学系では、第２レンズ群Ｇ２を光軸に沿って像側へ移動させることにより、無限遠物体から近距離物体への合焦を行う。なお、合焦時、開口絞りＳの位置は像面Ｉに対して固定である。また、本実施例に係る光学系の近距離物体合焦時の撮影距離は２．６ｍである。
本実施例に係る光学系では、第３レンズ群Ｇ３における第３ｂレンズ群Ｇ３ｂをシフトレンズ群として光軸と直交する方向の成分を含むようにシフトさせることにより防振を行う。
以下の表９に、本実施例に係る光学系の諸元の値を掲げる。
【０２０３】
（表９）第１及び第２発明の第９実施例
[面データ]
面番号          ｒ        ｄ     ｎｄ     νｄ
物面           ∞        ∞
1        1200.3704    5.00   1.51680   63.88
2        1199.7897    1.50
3         223.9540   15.50   1.43385   95.25
4       -5879.6456   45.00
5         188.6739   18.50   1.43385   95.25
6        -344.9762    3.24
7        -334.2849    6.00   1.61266   44.46
8        1087.7540   90.02
9          66.7379    5.20   1.80610   40.97
10          45.7359   15.00   1.49782   82.57
11         678.5295    可変
12       -1447.2643    2.50   1.80100   34.92
13          63.6827    5.00
14        -302.0700    4.50   1.84666   23.80
15         -62.4763    2.00   1.69100   54.93
16         764.0825    可変
17(絞りＳ)    ∞   2.00
18         125.7848    8.00   1.59319   67.90
19         -59.6174    0.60
20         -60.3570    1.90   1.79504   28.69
21        -122.9210    5.79
22        -208.0839    3.30   1.84666   23.80
23         -61.6159    1.90   1.59319   67.90
24          57.2685    3.00
25         880.2836    1.90   1.81600   46.59
26         100.1330    4.00
27         123.7087    3.00   1.77250   49.62
28        1021.0401    0.15
29          75.9029    4.80   1.74320   49.26
30        -107.4055    1.90   1.84666   23.80
31       -5070.3090    9.00
32           ∞        2.00   1.51680   63.88
33           ∞        Ｂｆ
像面            ∞
［各種データ］
ｆ              392.00
ＦＮＯ            2.88
２ω              6.27
Ｙ               21.60
ＴＬ            400.00
Ｂｆ             71.300
無限遠物体合焦時   近距離物体合焦時
ｆ又はβ         392.000            -0.173
ｄ0                 ∞            2200.000
ｄ11              17.726            32.026
ｄ16              38.772            24.472
Ｂｆ              71.300            71.381
［レンズ群データ］
群      始面         ｆ
1         1        172.5113
2        12        -69.4949
3        18        175.8293
［条件式対応値］
（第１発明）
ｆＦ ＝ 308.6113
ｆＲ ＝ -645.0699
ｆ ＝ 391.9996
ｆ１ ＝ 172.5113
ｆ１ａ ＝ 318.0791
ｆ１ｂ ＝ 203.8595
ｆ２ ＝ -69.4949
ｆ１２ ＝ 859.4613
ｆ３ａ ＝ 126.0854
ｆ３ｂｃ ＝ -645.0699
νｄｐ ＝ 95.25(L11), 95.25(L12)
ｎｄｎ ＝ 1.69100
νｄｎ ＝ 54.93
βｓ ＝ -5.1901
βｒ ＝ -0.2447
（１−１）  ｜ｆＲ／ｆＦ｜ ＝ 2.0902
（１−２）  βｒ×（１−βｓ） ＝ -1.5150
（１−３）  ｆ３ａ／ｆ３ｂｃ ＝ -0.1955
（１−４）  ｆ１ａ／ｆ１ｂ ＝ 1.5603
（１−５）  νｄｐ ＝ 95.25(L11), 95.25(L12)
（１−６）  ｎｄｎ ＝ 1.69100
（１−７）  νｄｎ ＝ 54.93
（１−８）  ｆ１／ｆ２ ＝ -2.4824
（１−９）  ｆ／ｆ１２ ＝ 0.4561
（第２発明）
ｆ ＝ 391.9996
ｆ１ ＝ 172.5113
ｆ１ａ ＝ 318.0791
ｆ１ｂ ＝ 203.8595
ｆ２ ＝ -69.4949
ｆ１２ ＝ 859.4613
ｆ３ａ ＝ 126.0854
ｆ３ｂｃ ＝ -645.0699
νｄｐ ＝ 95.25(L11), 95.25(L12)
ｎｄｎ ＝ 1.69100
νｄｎ ＝ 54.93
βｓ ＝ -5.1901
βｒ ＝ -0.2447
（２−１）  βｒ×（１−βｓ） ＝ -1.5150
（２−２）  ｆ３ａ／ｆ３ｂｃ ＝ -0.1955
（２−３）  ｆ１ａ／ｆ１ｂ ＝ 1.5603
（２−４）  νｄｐ ＝ 95.25(L11), 95.25(L12)
（２−５）  ｎｄｎ ＝ 1.69100
（２−６）  νｄｎ ＝ 54.93
（２−７）  ｆ１／ｆ２ ＝ -2.4824
（２−８）  ｆ／ｆ１２ ＝ 0.4561
【０２０４】
図２６（ａ）、及び図２６（ｂ）はそれぞれ、本願第１及び第２発明の第９実施例に係る光学系の無限遠物体合焦時、及び近距離物体合焦時の諸収差図である。
また、図２７は、本願第１及び第２発明の第９実施例に係る光学系の無限遠物体合焦時にレンズシフトした際のコマ収差図である。なお、図２７におけるシフトレンズ群の光軸と直交する方向へのシフト量は１．３５ｍｍである。
各収差図より、本実施例に係る光学系は諸収差を良好に補正し優れた結像性能を有しており、さらにレンズシフト時にも優れた結像性能を有していることがわかる。
【０２０５】
ここで、本願第１及び第２発明の実施形態に係る光学系に用いられる反射防止膜（多層広帯域反射防止膜とも言う）について説明する。図３１は、反射防止膜の膜構成の一例を示す図である。この反射防止膜１０１は７層からなり、レンズ等の光学部材１０２の光学面に形成される。第１層１０１ａは真空蒸着法で蒸着された酸化アルミニウムで形成されている。また、この第１層１０１ａの上に更に真空蒸着法で蒸着された酸化チタンと酸化ジルコニウムの混合物からなる第２層１０１ｂが形成される。さらに、この第２層１０１ｂの上に真空蒸着法で蒸着された酸化アルミニウムからなる第３層１０１ｃが形成され、この第３層１０１ｃの上に真空蒸着法で蒸着された酸化チタンと酸化ジルコニウムの混合物からなる第４層１０１ｄが形成される。またさらに、この第４層１０１ｄの上に真空蒸着法で蒸着された酸化アルミニウムからなる第５層１０１ｅが形成され、この第５層１０１ｅの上に真空蒸着法で蒸着された酸化チタンと酸化ジルコニウムの混合物からなる第６層１０１ｆが形成される。
【０２０６】
そして、このようにして形成された第６層１０１ｆの上に、ウェットプロセスによりフッ化マグネシウムとシリカの混合物からなる第７層１０１ｇが形成されて本実施形態の反射防止膜１０１が形成される。第７層１０１ｇの形成には、ウェットプロセスの一種であるゾル−ゲル法を用いている。ゾル−ゲル法とは、原料を混合することにより得られたゾルを、加水分解・重縮合反応などにより流動性のないゲルとし、このゲルを加熱・分解して生成物を得る方法であり、光学薄膜の作製においては、光学部材の光学面上に光学薄膜材料ゾルを塗布し、乾燥固化によりゲル膜とすることで膜を生成することができる。なお、ウェットプロセスとして、ゾル−ゲル法に限らず、ゲル状態を経ないで固体膜を得る方法を用いるようにしてもよい。
【０２０７】
このように、この反射防止膜１０１の第１層１０１ａ〜第６層１０１ｆまではドライプロセスである電子ビーム蒸着により形成され、最上層である第７層１０１ｇは、フッ酸／酢酸マグネシウム法で調製したゾル液を用いるウェットプロセスにより以下の手順で形成されている。まず、予めレンズ成膜面（上述の光学部材１０２の光学面）に真空蒸着装置を用いて第１層１０１ａとなる酸化アルミニウム層、第２層１０１ｂとなる酸化チタン−酸化ジルコニウム混合層、第３層１０１ｃとなる酸化アルミニウム層、第４層１０１ｄとなる酸化チタン−酸化ジルコニウム混合層、第５層１０１ｅとなる酸化アルミニウム層、第６層１０１ｆとなる酸化チタン−酸化ジルコニウム混合層を順に形成する。そして、蒸着装置より光学部材１０２を取り出した後、フッ酸／酢酸マグネシウム法により調製したゾル液にシリコンアルコキシドを加えたものをスピンコート法により塗布することにより、第７層１０１ｇとなるフッ化マグネシウムとシリカの混合物からなる層を形成する。フッ酸／酢酸マグネシウム法によって調製される際の反応式を以下の式（ａ）に示す。
【０２０８】
（ａ） ２ＨＦ＋Ｍｇ（ＣＨ3ＣＯＯ）2→ＭｇＦ2＋２ＣＨ3ＣＯＯＨ  
【０２０９】
この成膜に用いたゾル液は、原料混合後、オートクレーブで１４０℃、２４時間高温加圧熟成処理を施した後、成膜に用いられる。この光学部材１０２は、第７層１０１ｇの成膜終了後、大気中で１６０℃、１時間加熱処理して完成される。このようなゾル−ゲル法を用いることにより、大きさが数ｎｍから数十ｎｍの粒子が空隙を残して堆積することにより第７層１０１ｇが形成される。
【０２１０】
このようにして形成された反射防止膜１０１を有する光学部材の光学的性能について図３２に示す分光特性を用いて説明する。
【０２１１】
本願第１及び第２発明の実施形態に係る反射防止膜を有する光学部材（レンズ）は、以下の表１０に示す条件で形成されている。ここで表１０は、基準波長をλとし、基板（光学部材）の屈折率が１．６２、１．７４及び１．８５について反射防止膜１０１の各層１０１ａ（第１層）〜１０１ｇ（第７層）の光学膜厚をそれぞれ求めたものである。なお、表１０では、酸化アルミニウムをAl2O3、酸化チタンと酸化ジルコニウム混合物をZrO2＋TiO2、フッ化マグネシウムとシリカの混合物をMgF2＋SiO2とそれぞれ表している。
【０２１２】
（表１０）
物質      屈折率  光学膜厚  光学膜厚  光学膜厚  
媒質    空気        1
第７層  MgF2＋SiO2  1.26  0.268λ    0.271λ    0.269λ
第６層  ZrO2＋TiO2  2.12  0.057λ    0.054λ    0.059λ
第５層  Al2O3       1.65  0.171λ    0.178λ    0.162λ
第４層  ZrO2＋TiO2  2.12  0.127λ    0.13λ     0.158λ
第３層  Al2O3       1.65  0.122λ    0.107λ    0.08λ
第２層  ZrO2＋TiO2  2.12  0.059λ    0.075λ    0.105λ
第１層  Al2O3       1.65  0.257λ    0.03λ     0.03λ
基板の屈折率              1.62       1.74       1.85
【０２１３】
図３２は、表１０において基準波長λを５５０ｎｍとして反射防止膜１０１の各層の光学膜厚を設計した光学部材に光線が垂直入射する時の分光特性を表している。
【０２１４】
図３２から、基準波長λを５５０ｎｍで設計した反射防止膜１０１を有する光学部材は、光線の波長が４２０ｎｍ〜７２０ｎｍの全域で反射率を０．２％以下に抑えられることが判る。また、表１０において基準波長λをｄ線（波長５８７．６ｎｍ）として各光学膜厚を設計した反射防止膜１０１を有する光学部材でも、その分光特性にはほとんど影響せず、図３２に示す基準波長λが５５０ｎｍの場合とほぼ同等の分光特性を有する。
【０２１５】
次に、本反射防止膜の変形例について説明する。この反射防止膜は５層からなり、表１０と同様、以下の表１１で示される条件で基準波長λに対する各層の光学膜厚が設計される。本変形例では、第５層の形成に前述のゾル−ゲル法を用いている。
【０２１６】
（表１１）
物質      屈折率  光学膜厚  光学膜厚
媒質    空気        1
第５層  MgF2＋SiO2  1.26  0.275λ   0.269λ    
第４層  ZrO2＋TiO2  2.12  0.045λ   0.043λ    
第３層  Al2O3       1.65  0.212λ   0.217λ    
第２層  ZrO2＋TiO2  2.12  0.077λ   0.066λ    
第１層  Al2O3       1.65  0.288λ   0.290λ    
基板の屈折率              1.46      1.52       
【０２１７】
図３３は、表１１において、基板の屈折率が１．５２及び基準波長λを５５０ｎｍとして各光学膜厚を設計した反射防止膜を有する光学部材に光線が垂直入射する時の分光特性を示している。図３３から本変形例の反射防止膜は、光線の波長が４２０ｎｍ〜７２０ｎｍの全域で反射率が０．２％以下に抑えられることがわかる。なお、表１１において基準波長λをｄ線（波長５８７．６ｎｍ）として各光学膜厚を設計した反射防止膜を有する光学部材でも、その分光特性にはほとんど影響せず、図３３に示す分光特性とほぼ同等の特性を有する。
【０２１８】
図３４は、図３３に示す分光特性を有する光学部材への光線の入射角が３０度、４５度、６０度の場合の分光特性をそれぞれ示す。なお、図３３、図３４には表１１に示す基板の屈折率が１．４６の反射防止膜を有する光学部材の分光特性が図示されていないが、基板の屈折率が１．５２とほぼ同等の分光特性を有していることは言うまでもない。
【０２１９】
また比較のため、図３５に、従来の真空蒸着法などのドライプロセスのみで成膜した反射防止膜の一例を示す。図３６は、表１１と同じ基板の屈折率１．５２に以下の表１２で示される条件で構成される反射防止膜を設計した光学部材に光線が垂直入射する時の分光特性を示す。また、図３６は、図３５に示す分光特性を有する光学部材への光線の入射角が３０度、４５度、６０度の場合の分光特性をそれぞれ示す。
【０２２０】
（表１２）
物質      屈折率  光学膜厚
媒質    空気        1
第７層  MgF2        1.39  0.243λ    
第６層  ZrO2＋TiO2  2.12  0.119λ    
第５層  Al2O3       1.65  0.057λ    
第４層  ZrO2＋TiO2  2.12  0.220λ    
第３層  Al2O3       1.65  0.064λ    
第２層  ZrO2＋TiO2  2.12  0.057λ    
第１層  Al2O3       1.65  0.193λ    
基板の屈折率              1.52       
【０２２１】
図３２〜図３４で示される本願第１及び第２発明の実施形態に係る反射防止膜を有する光学部材の分光特性を、図３５および図３６で示される従来例の分光特性と比較すると、本実施形態に係る反射防止膜はいずれの入射角においてもより低い反射率を有し、しかもより広い帯域で低い反射率を有することが良くわかる。
【０２２２】
次に、本願第１及び第２発明の第１実施例から第９実施例に、上記表１０および表１１に示す反射防止膜を適用した例について説明する。
【０２２３】
本願第１及び第２発明の第１実施例の光学系において、
第３レンズ群Ｇ３の両凹形状の負レンズＬ３４の屈折率は、
表１に示すように、
ｎｄ＝１．５９３１９であり、
第３レンズ群Ｇ３の両凸形状の正レンズＬ３６の屈折率は、
ｎｄ＝１．７７２５０であるため、
両凹形状の負レンズＬ３４における像面側のレンズ面に
基板の屈折率が１．６２に対応する反射防止膜１０１（表１１参照）を用い、
両凸形状の正レンズＬ３６における物体側のレンズ面に、
基板の屈折率が１．７４に対応する反射防止膜（表１１参照）を用いることで各レンズ面からの反射光を少なくでき、ゴーストやフレアを低減することができる。
【０２２４】
本願第１及び第２発明の第２実施例の光学系において、
第３レンズ群Ｇ３の両凹形状の負レンズＬ３４の屈折率は、
表２に示すように、
ｎｄ＝１．５９３１９であるため、
両凹形状の負レンズＬ３４における像面側のレンズ面に
基板の屈折率が１．６２に対応する反射防止膜１０１（表１１参照）を用いることで各レンズ面からの反射光を少なくでき、ゴーストやフレアを低減することができる。
【０２２５】
本願第１及び第２発明の第３実施例の光学系において、
第１レンズ群Ｇ１の正メニスカスレンズＬ１５の屈折率は、
表３に示すように、
ｎｄ＝１．４９７８２であるため、
正メニスカスレンズＬ１５における像面側のレンズ面に
基板の屈折率が１．５２に対応する反射防止膜１０１（表１０参照）を用いることで各レンズ面からの反射光を少なくでき、ゴーストやフレアを低減することができる。
【０２２６】
本願第１及び第２発明の第４実施例の光学系において、
第２レンズ群Ｇ２の負メニスカスレンズＬ２１の屈折率は、
表４に示すように、
ｎｄ＝１．７７２５０であるため、
負メニスカスレンズＬ２１における像面側のレンズ面に
基板の屈折率が１．７４に対応する反射防止膜１０１（表１１参照）を用いることで各レンズ面からの反射光を少なくでき、ゴーストやフレアを低減することができる。
【０２２７】
本願第１及び第２発明の第５実施例の光学系において、
第１レンズ群Ｇ１の両凸形状の正レンズＬ１２の屈折率は、
表５に示すように、
ｎｄ＝１．４３３８５であり、
第１レンズ群Ｇ１の両凹形状の負レンズＬ１３の屈折率は、
ｎｄ＝１．６１２６６であるため、
両凸形状の正レンズＬ１２における像面側のレンズ面に
基板の屈折率が１．４６に対応する反射防止膜１０１（表１０参照）を用い、
両凹形状の負レンズＬ１３における物体側のレンズ面に、
基板の屈折率が１．６２に対応する反射防止膜（表１１参照）を用いることで各レンズ面からの反射光を少なくでき、ゴーストやフレアを低減することができる。
【０２２８】
本願第１及び第２発明の第６実施例の光学系において、
第２レンズ群Ｇ２の正メニスカスレンズＬ２２の屈折率は、
表６に示すように、
ｎｄ＝１．８０８０９であるため、
正メニスカスレンズＬ２２における物体側のレンズ面に
基板の屈折率が１．８５に対応する反射防止膜１０１（表１１参照）を用いることで各レンズ面からの反射光を少なくでき、ゴーストやフレアを低減することができる。
【０２２９】
本願第１及び第２発明の第７実施例の光学系において、
第３レンズ群Ｇ３の両凹形状の負レンズＬ３４の屈折率は、
表７に示すように、
ｎｄ＝１．５９３１９であり、
第３レンズ群Ｇ３の両凸形状の正レンズＬ３６の屈折率は、
ｎｄ＝１．７７２５０であるため、
両凹形状の負レンズＬ３４における像面側のレンズ面に
基板の屈折率が１．６２に対応する反射防止膜１０１（表１１参照）を用い、
両凸形状の正レンズＬ３６における物体側のレンズ面に、
基板の屈折率が１．７４に対応する反射防止膜（表１１参照）を用いることで各レンズ面からの反射光を少なくでき、ゴーストやフレアを低減することができる。
【０２３０】
本願第１及び第２発明の第８実施例の光学系において、
第１レンズ群Ｇ１の両凸形状の正レンズＬ１２の屈折率は、
表８に示すように、
ｎｄ＝１．４３３８５であり、
第１レンズ群Ｇ１の両凹形状の負レンズＬ１３の屈折率は、
ｎｄ＝１．６１２６６であるため、
両凸形状の正レンズＬ１２における像面側のレンズ面に
基板の屈折率が１．４６に対応する反射防止膜１０１（表１０参照）を用い、
両凹形状の負レンズＬ１３における物体側のレンズ面に、
基板の屈折率が１．６２に対応する反射防止膜（表１１参照）を用いることで各レンズ面からの反射光を少なくでき、ゴーストやフレアを低減することができる。
【０２３１】
本願第１及び第２発明の第９実施例の光学系において、
第２レンズ群Ｇ２の正メニスカスレンズＬ２２の屈折率は、
表９に示すように、
ｎｄ＝１．８４６６６であるため、
正メニスカスレンズＬ２２における物体側のレンズ面に
基板の屈折率が１．８５に対応する反射防止膜１０１（表１１参照）を用いることで各レンズ面からの反射光を少なくでき、ゴーストやフレアを低減することができる。
【０２３２】
上記第１発明の各実施例によれば、小型軽量で、諸収差を良好に補正し優れた光学性能を有する光学系を実現することができる。特に、上記第１発明の各実施例に係る光学系は、４〜９度の画角を有し、レンズシフト時の光学性能の劣化を抑えることもできる。
また、上記第２発明の各実施例によれば、４〜９度の画角を有し、小型軽量で、諸収差を良好に補正し、かつレンズシフト時の光学性能の劣化を抑えた光学系を実現することができる。
なお、上記各実施例は本願発明の一具体例を示しているものであり、本願発明はこれらに限定されるものではない。以下の内容は、本願の光学系の光学性能を損なわない範囲で適宜採用することが可能である。
【０２３３】
本願の光学系の数値実施例として３群構成のものを示したが、本願はこれに限られず、その他の群構成（例えば、４群や５群等）の光学系を構成することもできる。具体的には、本願の光学系の最も物体側や最も像側にレンズ又はレンズ群を追加した構成でも構わない。なお、上記各実施例に係る光学系は、第１レンズ群中の最も物体側に保護フィルタガラスを備えているが、これを備えない構成としてもよい。
【０２３４】
また、本願の光学系は、無限遠物体から近距離物体への合焦を行うために、レンズ群の一部、１つのレンズ群全体、或いは複数のレンズ群を合焦レンズ群として光軸方向へ移動させる構成としてもよい。特に、第２レンズ群の少なくとも一部を合焦レンズ群とすることが好ましい。斯かる合焦レンズ群は、オートフォーカスに適用することも可能であり、オートフォーカス用のモータ、例えば超音波モータ等による駆動にも適している。
【０２３５】
また、本願の光学系において、いずれかのレンズ群全体又はその一部を、防振レンズ群として光軸に対して垂直な方向の成分を含むように移動させ、又は光軸を含む面内方向へ回転移動（揺動）させることにより、防振を行う構成とすることもできる。特に、本願の光学系では第３レンズ群の少なくとも一部を防振レンズ群とすることが好ましい。
【０２３６】
また、本願の光学系を構成するレンズのレンズ面は、球面又は平面としてもよく、或いは非球面としてもよい。レンズ面が球面又は平面の場合、レンズ加工及び組立調整が容易になり、レンズ加工及び組立調整の誤差による光学性能の劣化を防ぐことができるため好ましい。また、像面がずれた場合でも描写性能の劣化が少ないため好ましい。レンズ面が非球面の場合、研削加工による非球面、ガラスを型で非球面形状に成型したガラスモールド非球面、又はガラス表面に設けた樹脂を非球面形状に形成した複合型非球面のいずれでもよい。また、レンズ面は回折面としてもよく、レンズを屈折率分布型レンズ（ＧＲＩＮレンズ）或いはプラスチックレンズとしてもよい。
【０２３７】
また、本願の光学系において開口絞りは第３レンズ群の物体側の近傍に配置されることが好ましく、開口絞りとして部材を設けずにレンズ枠でその役割を代用する構成としてもよい。
【０２３８】
また、本願の光学系を構成するレンズのレンズ面に、広い波長域で高い透過率を有する反射防止膜を施してもよい。これにより、フレアやゴーストを軽減し、高コントラストの高い光学性能を達成することができる。
【０２３９】
次に、本願第１又は第２発明の光学系を備えたカメラを図２８に基づいて説明する。
図２８は、本願第１及又は第２発明の光学系を備えたカメラの構成を示す図である。
本カメラ１は、撮影レンズ２として上記第１実施例に係る光学系を備えたレンズ交換式のデジタル一眼レフカメラである。
本カメラ１において、被写体である不図示の物体からの光は、撮影レンズ２で集光されて、クイックリターンミラー３を介して焦点板４に結像される。そして焦点板４に結像されたこの光は、ペンタプリズム５中で複数回反射されて接眼レンズ６へ導かれる。これにより撮影者は、被写体像を接眼レンズ６を介して正立像として観察することができる。
【０２４０】
また、撮影者によって不図示のレリーズボタンが押されると、クイックリターンミラー３が光路外へ退避し、不図示の被写体からの光は撮像素子７へ到達する。これにより被写体からの光は、当該撮像素子７によって撮像されて、被写体画像として不図示のメモリに記録される。このようにして、撮影者は本カメラ１による被写体の撮影を行うことができる。
【０２４１】
ここで、本カメラ１に撮影レンズ２として搭載した上記第１実施例に係る光学系は、上述のように小型で、諸収差を良好に補正し優れた光学性能を有している。即ち本カメラ１は、小型化と高性能化を実現することができる。なお、上記第２〜第９実施例に係る光学系を撮影レンズ２として搭載したカメラを構成しても、上記カメラ１と同様の効果を奏することができる。また、クイックリターンミラー３を有しない構成のカメラに上記各実施例に係る光学系を搭載した場合でも、上記カメラ１と同様の効果を奏することができる。
【０２４２】
次に、本願第１発明の光学系の製造方法の概略を図２９に基づいて説明する。
図２９は、本願第１発明の光学系の製造方法の概略を示す図である。
図２９に示す本願第１発明の光学系の製造方法は、物体側から順に、正の屈折力を有する第１レンズ群と、負の屈折力を有する第２レンズ群と、正の屈折力を有する第３レンズ群とを有する光学系の製造方法であって、以下のステップＳ１〜Ｓ５を含むものである。
【０２４３】
ステップＳ１：第１〜第３レンズ群を準備し、第１レンズ群、第２レンズ群及び第３レンズ群における光学面のうちの少なくとも１面に反射防止膜を設け、前記反射防止膜はウェットプロセスを用いて形成された層を少なくとも１層含むようにし、各レンズ群を鏡筒内に物体側から順に配置する。
【０２４４】
ステップＳ２：第３レンズ群が、物体側から順に、第３ａレンズ群と、第３ｂレンズ群とを有するようにする。
【０２４５】
ステップＳ３：公知の移動機構を設けることにより、無限遠物体から近距離物体への合焦時に、第２レンズ群が光軸に沿って移動するようにする。
【０２４６】
ステップＳ４：公知の移動機構を設けることにより、第３ｂレンズ群がシフトレンズ群として光軸と直交する方向の成分を含むように移動するようにする。
【０２４７】
ステップＳ５：光学系が以下の条件式（１−１）を満足するようにする。
（１−１）  １．７０＜｜ｆＲ／ｆＦ｜＜５．００
ただし、
ｆＲ：無限遠物体合焦時の第１レンズ群から第３ａレンズ群までの合成焦点距離
ｆＦ：無限遠物体合焦時の第３ｂレンズ群と第３ｂレンズ群よりも像側に位置する全てのレンズの合成焦点距離
【０２４８】
斯かる本願第１発明の光学系の製造方法によれば、小型で、諸収差を良好に補正し優れた光学性能を有する光学系を製造することができる。
【０２４９】
最後に、本願第２発明の光学系の製造方法の概略を図３７に基づいて説明する。
図３７は、本願第２発明の光学系の製造方法の概略を示す図である。
図３７に示す本願第２発明の光学系の製造方法は、物体側から順に、正の屈折力を有する第１レンズ群と、負の屈折力を有する第２レンズ群と、正の屈折力を有する第３レンズ群とを有する光学系の製造方法であって、以下のステップＳ１〜Ｓ４を含むものである。
【０２５０】
ステップＳ１：第１〜第３レンズ群を準備し、第１レンズ群、第２レンズ群及び第３レンズ群における光学面のうちの少なくとも１面に反射防止膜を設け、前記反射防止膜はウェットプロセスを用いて形成された層を少なくとも１層含むようにし、各レンズ群を鏡筒内に物体側から順に配置する。
【０２５１】
ステップＳ２：公知の移動機構を設けることにより、無限遠物体から近距離物体への合焦時に、第２レンズ群が光軸に沿って移動するようにする。
【０２５２】
ステップＳ３：公知の移動機構を設けることにより、第３レンズ群の一部がシフトレンズ群として光軸と直交する方向の成分を含むように移動するようする。
【０２５３】
ステップＳ４：光学系が以下の条件式（２−１）を満足するようにする。
（２−１）  −１．６０＜βｒ×（１−βｓ）＜−０．８５
ただし、
βｓ：シフトレンズ群の横倍率
βｒ：シフトレンズ群よりも像側に位置する全てのレンズの横倍率
【０２５４】
斯かる本願第２発明の光学系の製造方法によれば、諸収差を良好に補正し、かつレンズシフト時の光学性能の劣化を抑えた光学系を製造することができる。
【符号の説明】
【０２５５】
Ｇ１        第１レンズ群
Ｇ１ａ      第１ａレンズ群
Ｇ１ｂ      第１ｂレンズ群
Ｇ２        第２レンズ群
Ｇ３        第３レンズ群
Ｇ３ａ      第３ａレンズ群
Ｇ３ｂ      第３ｂレンズ群
Ｇ３ｃ      第３ｃレンズ群
ＦＬＧ      保護フィルタガラス
Ｓ          開口絞り
Ｉ          像面
１０１      反射防止膜
１０１ａ    第１層
１０１ｂ    第２層
１０１ｃ    第３層
１０１ｄ    第４層
１０１ｅ    第５層
１０１ｆ    第６層
１０１ｇ    第７層
１０２      光学部材
【図１】
2015215558.tif 000003
【図２】
2015215558.tif 000004
【図３】
2015215558.tif 000005
【図４】
2015215558.tif 000006
【図５】
2015215558.tif 000007
【図６】
2015215558.tif 000008
【図７】
2015215558.tif 000009
【図８】
2015215558.tif 000010
【図９】
2015215558.tif 000011
【図１０】
2015215558.tif 000012
【図１１】
2015215558.tif 000013
【図１２】
2015215558.tif 000014
【図１３】
2015215558.tif 000015
【図１４】
2015215558.tif 000016
【図１５】
2015215558.tif 000017
【図１６】
2015215558.tif 000018
【図１７】
2015215558.tif 000019
【図１８】
2015215558.tif 000020
【図１９】
2015215558.tif 000021
【図２０】
2015215558.tif 000022
【図２１】
2015215558.tif 000023
【図２２】
2015215558.tif 000024
【図２３】
2015215558.tif 000025
【図２４】
2015215558.tif 000026
【図２５】
2015215558.tif 000027
【図２６】
2015215558.tif 000028
【図２７】
2015215558.tif 000029
【図２８】
2015215558.tif 000030
【図２９】
2015215558.tif 000031
【図３０】
2015215558.tif 000032
【図３１】
2015215558.tif 000033
【図３２】
2015215558.tif 000034
【図３３】
2015215558.tif 000035
【図３４】
2015215558.tif 000036
【図３５】
2015215558.tif 000037
【図３６】
2015215558.tif 000038
【図３７】
2015215558.tif 000039